(57)【特許請求の範囲】
【請求項１】
シューズカバーの供給方法において、
シューズカバー収納モジュール、取出しモジュール、口開けモジュール、リレーモジュールを含み、且つ、
（Ｓ１）広げ、
（Ｓ２）裏返し、
（Ｓ３）リレー復帰の完了か否かを判断し、否であれば（Ｓ３）を繰り返し、
（Ｓ４）口開け、
（Ｓ５）リレー、
（Ｓ６）使用待ち、
（Ｓ７）使用完了、
（Ｓ８）リレー復帰、
（Ｓ９）裏返しの完了か否かを判断し、否であれば（Ｓ９）を繰り返し、
（Ｓ１０）（Ｓ４）に戻すステップを含み、
そのうち、収納モジュールは長形の開口を有し、シューズカバーの弾性口が前記長形の開口に向いて配置され、取出しモジュールは広げる及び裏返されることができる１対の広げクローを有し、口開けモジュールはシューズカバーを開けるためのフックを有し、リレーモジュールは広げクローからシューズカバーを受け取るためのリレーレバーを有し、
且つ、（Ｓ１）広げは取出しモジュールの広げクローが前記長形の開口内においてシューズカバーの弾性口を広げることを指し、（Ｓ２）裏返しは取出しモジュールの広げクローが裏返し運動によって、シューズカバーを収納モジュールから取出すことを指し、（Ｓ３）リレー復帰の完了か否かを判断し、否であれば（Ｓ３）を繰り返し、完了であれば、次のステップに入り、（Ｓ４）口開けは口開けモジュールのフックがシューズカバーの弾性口を引っかけ且つ前記広げクローに対して運動することによってシューズカバーの弾性口を開けることを指し、（Ｓ５）リレーはリレーモジュールのリレーレバーが伸出し且つ前記広げクローからシューズカバーを受け取り、前記広げクローの代わりに前記フックと一緒にシューズカバーの弾性口を広げる状態にし、前記広げクローが逆方向に裏返して前記長形開口に戻し、且つ次の（Ｓ１）広げステップを開始し、（Ｓ８）リレー復帰はリレーレバーを戻してリレーステップの前の状態にすることを指し、（Ｓ９）裏返しの完了か否かを判断し、否であれば（Ｓ９）を繰り返し、完了であれば（Ｓ４）に戻って次の循環に入る、ことを特徴とするシューズカバーの供給方法。
【請求項２】
前記シューズカバーの長さ方向が長形開口の長さ方向と一致し、且つ、前記広げクローの弾性口を広げる運動が長形開口の長さ方向に沿う直線運動であり、且つ、前記直線運動は正逆ねじロッド及びネジの回転方向が反対する１対のナットによって形成され、前記１対の広げクローがそれぞれ１対のナットに固設され、または前記１対の広げクローがそれぞれ１対のナットと一体に成形される、ことを特徴とする請求項１に記載のシューズカバーの供給方法。
【請求項３】
前記フックはＵ状開口を有し、前記口開けステップの開始時、フックのＵ状の２つの端部が前記広げクローの両側から通過し、フックのＵ状の１つの端部フックがシューズカバーの弾性口を引っかけ、または前記フックがＬ状であり、前記口開けステップの開始時、フックのＬ状の１つの端部が前記広げクローの内側から通過し、シューズカバーの弾性口を引っかける、ことを特徴とする請求項１に記載のシューズカバーの供給方法。
【請求項４】
前記フックは２セットを有し、フックの復帰間隔を節約するように、２セットのフックが循環に作動し、第１セットのフックが口開けステップを完了する時に、他１セットのフックが復帰して次の１つのシューズカバーの受け取りを準備する、ことを特徴とする請求項３に記載のシューズカバーの供給方法。
【請求項５】
シューズカバーの供給方法において、
シューズカバー収納モジュール、取出しモジュール、口開けモジュール、リレーモジュールを含み、且つ、
（Ｓ１）広げ、
（Ｓ２）裏返し、
（Ｓ３）使用完了か否かを判断し、否であれば（Ｓ３）を繰り返し、
（Ｓ４）口開け、
（Ｓ５）リレー復帰、
（Ｓ６）リレー、
（Ｓ７）使用待ち、
（Ｓ８）使用完了、
（Ｓ９）裏返しの完了か否かを判断し、否であれば（Ｓ９）を繰り返し、
（Ｓ１０）（Ｓ４）に戻すステップを含み、
そのうち、収納モジュールは長形の開口を有し、シューズカバーの弾性口が前記長形の開口に向いて配置され、取出しモジュールは広げる及び裏返されることができる１対の広げクローを有し、口開けモジュールはシューズカバーを開けるためのフックを有し、リレーモジュールは広げクローからシューズカバーを受け取るためのリレーレバーを有し、
且つ、（Ｓ１）広げは取出しモジュールの広げクローが前記長形の開口内においてシューズカバーの弾性口を広げることを指し、（Ｓ２）裏返しは取出しモジュールの広げクローが裏返し運動によって、シューズカバーを収納モジュールから取出すことを指し、（Ｓ３）前の１つのシューズカバーの使用完了か否かを判断し、否であれば（Ｓ３）を繰り返し、完了であれば、次のステップに入り、（Ｓ４）口開けは口開けモジュールのフックがシューズカバーの弾性口を引っかけ且つ前記広げクローに対して運動することによってシューズカバーの弾性口を開けることを指し、（Ｓ５）リレー復帰はリレーレバーを戻し、且つリレーレバーの戻しはフックがリレー位置を通過する前に完了され、前記リレー位置はリレーレバーが伸出状態になっている時に所在する位置を指し、（Ｓ６）リレーはリレーモジュールのリレーレバーが伸出し且つ前記広げクローからシューズカバーを受け取り、前記広げクローの代わりに前記フックと一緒にシューズカバーの弾性口を広げる状態にし、前記広げクローが逆方向に裏返して前記長形開口に戻し、且つ次の（Ｓ１）広げステップを開始し、（Ｓ９）ステップは裏返しの完了か否かを判断し、否であれば（Ｓ９）を繰り返し、完了であれば（Ｓ４）に戻って次の循環に入る、ことを特徴とするシューズカバーの供給方法。
【請求項６】
前記シューズカバーの長さ方向が長形開口の長さ方向と一致し、且つ、前記広げクローの弾性口を広げる運動が長形開口の長さ方向に沿う直線運動であり、前記直線運動は正逆ねじロッド及びネジの回転方向が反対する１対のナットによって形成され、前記１対の広げクローがそれぞれ１対のナットに固設され、または前記１対の広げクローがそれぞれ１対のナットと一体に成形され、前記フックはＵ状開口を有し、前記口開けステップの開始時、フックのＵ状の２つの端部が前記広げクローの両側から通過し、フックのＵ状の１つの端部フックがシューズカバーの弾性口を引っかけ、または前記フックがＬ状であり、前記口開けステップの開始時、フックのＬ状の１つの端部が前記広げクローの内側から通過し、シューズカバーの弾性口を引っかけ、前記フックは２セットを有し、フックの復帰間隔を節約するように、２セットのフックが循環に作動し、第１セットのフックが口開けステップを完了する時に、他１セットのフックが復帰して次の１つのシューズカバーの受け取りを準備し、前記リレーレバーが１対を有し、リレーレバーが自由端を有し、リレーステップにおいてリレーレバーの自由端が下に向いて振り出しまたは下に向いて伸び出し、リレー復帰ステップにおいて、リレーレバーの自由端が上に向いて振り上げまたは上に向いて縮み戻り、広げクローの背部にはリレー面取りを有し、前記シューズカバーが平坦化状態でシューズカバー収納モジュールに積層され、前記シューズカバーが幅方向に沿って開けられる、ことを特徴とする請求項５のシューズカバーの供給方法。
【請求項７】
シューズカバーの供給方法において、
シューズカバー収納モジュール、取出しモジュール、口開けモジュール、リレーモジュールを含み、且つ、
（Ｓ１）広げ、
（Ｓ２）使用完了か否かを判断し、否であれば（Ｓ２）を繰り返し、
（Ｓ３）裏返し、
（Ｓ４）口開け、
（Ｓ５）リレー、
（Ｓ６）使用待ち、
（Ｓ７）使用完了、
（Ｓ８）裏返しの完了か否かを判断し、否であれば（Ｓ８）を繰り返し、
（Ｓ９）（Ｓ４）に戻すステップを含み、
そのうち、収納モジュールは長形の開口を有し、シューズカバーの弾性口が前記長形の開口に向いて配置され、取出しモジュールは広げる及び裏返されることができる１対の広げクローを有し、口開けモジュールはシューズカバーを開けるためのフックを有し、リレーモジュールは広げクローからシューズカバーを受け取るためのリレーレバーを有し、前記広げクローの（Ｓ５）ステップ時の位置と前記リレーレバーは前記シューズカバーの口開け方向に沿って並行して揃え、
且つ、（Ｓ１）広げは取出しモジュールの広げクローが前記長形の開口内においてシューズカバーの弾性口を広げることを指し、（Ｓ３）裏返しは取出しモジュールの広げクローが裏返し運動によって、シューズカバーをリレーレバーが前記広げクローの代わりに前記フックと一緒にシューズカバーの弾性口を広げるリレー状態の位置まで搬送し、且つシューズカバーの弾性口にリレーレバーを囲ませることを指し、（Ｓ４）口開けは口開けモジュールのフックがシューズカバーの弾性口を引っかけ且つ前記広げクローに対して運動することによってシューズカバーの弾性口を開けることを指し、（Ｓ５）リレーはフックの引張り力がシューズカバーの弾性口に作用し、シューズカバーの弾性口を広げクローから離脱させ、リレーレバーに滑り向かせ、前記リレー状態にし、前記広げクローが逆方向に裏返して前記長形開口に戻し、且つ次の（Ｓ１）広げステップを開始し、（Ｓ８）ステップは裏返しの完了か否かを判断し、否であれば（Ｓ８）を繰り返し、完了であれば（Ｓ４）に戻って次の循環に入る、ことを特徴とするシューズカバーの供給方法。
【請求項８】
（Ｓ５）リレーステップにおいて、フックの引張り力がシューズカバーの弾性口に作用し、同時に広げクローが真ん中に向いて運動することによって、シューズカバーの弾性口を広げクローから離脱させ、リレーレバーに滑り向かせる、ことを特徴とする請求項７に記載のシューズカバーの供給方法。
【請求項９】
前記リレーレバーが伸出及び収縮できる、ことを特徴とする請求項７に記載のシューズカバーの供給方法。
【請求項１０】
前記リレーレバーが固設され、リレーレバーは広げクローを回避するための１つの段差を有する、ことを特徴とする請求項７に記載のシューズカバーの供給方法。
【請求項１１】
シューズカバーの供給方法において、
シューズカバー収納モジュール、取出しモジュール、口開けモジュール、リレーモジュールを含み、且つ、
（Ｓ１）広げ、
（Ｓ２）裏返し、
（Ｓ３）使用完了か否かを判断し、否であれば（Ｓ３）を繰り返し、
（Ｓ４）口開け、
（Ｓ５）リレー、
（Ｓ６）使用待ち、
（Ｓ７）使用完了、
（Ｓ８）裏返しの完了か否かを判断し、否であれば（Ｓ８）を繰り返し、
（Ｓ９）（Ｓ４）に戻すステップを含み、
そのうち、収納モジュールは長形の開口を有し、シューズカバーの弾性口が前記長形の開口に向いて配置され、取出しモジュールは広げる及び裏返されることができる１対の広げクローを有し、口開けモジュールはシューズカバーを開けるためのフックを有し、リレーモジュールは広げクローからシューズカバーを受け取るためのリレーレバーを有し、前記リレーレバーが固設されており、且つ前記シューズカバーの口開け方向に沿って、リレーレバーの位置が前記広げクローの（Ｓ５）ステップ時における位置より前向きであり、前記フックが（Ｓ４）ステップを実行する時に前記リレーレバーの底部から通過し、且つ（Ｓ１）広げは取出しモジュールの広げクローが前記長形の開口内においてシューズカバーの弾性口を広げることを指し、（Ｓ２）裏返しは取出しモジュールの広げクローが裏返し運動によって、シューズカバーを収納モジュールから取出すことを指し、（Ｓ４）口開けは口開けモジュールのフックがシューズカバーの弾性口を引っかけ且つ前記広げクローに対して運動することによってシューズカバーの弾性口を開けることを指し、（Ｓ５）リレーは広げクローがシューズカバーをリレーモジュールのリレーレバーに引っかけ且つ逆方向に向いて裏返し、リレーレバーが前記広げクローの代わりに前記フックと一緒にシューズカバーの弾性口を口開け状態にし、前記広げクローが逆方向に裏返して前記長形開口に戻し、且つ次の（Ｓ１）広げステップを開始し、（Ｓ８）ステップは裏返しの完了か否かを判断し、否であれば（Ｓ８）を繰り返し、完了であれば（Ｓ４）に戻って次の循環に入る、ことを特徴とするシューズカバーの供給方法。
【請求項１２】
（Ｓ５）リレーステップは（Ｓ４）口開けステップのフックがリレーレバーの底部から通過した後開始する、ことを特徴とする請求項１１に記載のシューズカバーの供給方法。
【請求項１３】
（Ｓ５）リレーステップは（Ｓ４）口開けステップの完了する前に開始し、（Ｓ４）及び（Ｓ５）のステップが共に完了した後、やっと（Ｓ６）ステップに入る、ことを特徴とする請求項請求項１２に記載のシューズカバーの供給方法。
【請求項１４】
シューズカバーの供給方法において、
シューズカバー収納モジュール、取出しモジュール、口開けモジュール、リレーモジュールを含み、取出しモジュールは、
（ＳＡ１）広げ、即ち広げクローが収納モジュール内においてシューズカバーを広げ、
（ＳＡ２）裏返し、即ち広げられたシューズカバーを口開け／リレー位置に裏返すステップを実行し、
口開けモジュールは、
（ＳＢ１）口開け、即ちフックによってシューズカバーを引っ張って広げ、
（ＳＢ２）使用待ち及びシューズカバーを使用するステップを実行し、
取出しモジュール及びリレーモジュールは共同に、
（ＳＣ１）リレー、取出しモジュールの広げクローがシューズカバーの後端をリレーレバーに引っかけ、広げクローが元に向いて裏返すステップを実行し、
そのうち、（ＳＢ１）（ＳＢ２）が循環作動する時に、（ＳＡ１）（ＳＡ２）も循環作動していて、
収納モジュールは長形開口を有し、シューズカバーの弾性口が前記長形開口に向いて配置され、取出しモジュールは広げる及び裏返されることができる１対の広げクローを有し、口開けモジュールはシューズカバーを開けるためのフックを有し、リレーモジュールは広げクローからシューズカバーを受け取るためのリレーレバーを有する、ことを特徴とするシューズカバーの供給方法。
【請求項１５】
シューズカバーの供給システムにおいて、シューズカバー収納モジュール、取出しモジュール、口開けモジュール、リレーモジュールを含み、
収納モジュールは長形開口を有し、シューズカバーの弾性口が前記長形開口に向いて配置され、取出しモジュールは広げる及び裏返されることができる１対の広げクローを有し、口開けモジュールはシューズカバーを開けるためのフックを有し、リレーモジュールは広げクローからシューズカバーを受け取るためのリレーレバーを有し、
収納モジュールの本体はボックスであり、１対の広げクローの端部のシューズカバーを広げる方向に、口開けモジュールの上に設けられ、シューズカバーを開くのに用いられるフックをさらに有し、
前記シューズカバー収納モジュールは取出しモジュールの上部に位置し、且つ長形開口が下に向いて設置され、
前記口開けモジュールは取出しモジュールの下部に位置し且つ口開けモジュールのシューズカバーを受け取る片端が取出しモジュールに接近して設置され、
リレーモジュールは口開けモジュールのシューズカバーを受け取る片端に接近して設置される、ことを特徴とするシューズカバーの供給システム。
【請求項１６】
前記取出しモジュールは正逆ねじロッド及びネジの回転方向が反対する１対のナットを含み、前記広げクローがナットと固接されまたは一体に成形され、前記取出しモジュールはさらに広げクローの回転を約束する案内部材を含む、ことを特徴とする請求項１５に記載のシューズカバーの供給システム。
【請求項１７】
前記案内部材は１つの位置決めホルダを含み、位置決めホルダは正逆ねじロッドの長さ方向に沿って設置される位置決め溝を有し、広げクローが位置決めホルダの位置決め溝内に制限され、または前記案内部材は１つの位置決め軸を含み、位置決め軸が正逆ねじロッドの長さ方向に沿って設置され、広げクローが前記位置決め軸と対応する案内孔を有し、広げクローが案内孔を通じて位置決め軸に被装される、ことを特徴とする請求項１６に記載のシューズカバーの供給システム。
【請求項１８】
前記取出しモジュールはさらに前記案内部材と連接するロッカー・アーム、及び減速機構を含み、案内部材が減速機構を通じて正逆ねじロッドと連動・連接される、ことを特徴とする請求項１６に記載のシューズカバーの供給システム。
【請求項１９】
ロッカー・アームがクラッチ機構を通じて案内部材を連接する、ことを特徴とする請求項１８に記載のシューズカバーの供給システム。
【請求項２０】
前記減速機構がギア機構であり、正逆ねじロッドに固定される入力ギア、入力ギアと噛合うダブル・ギヤ、ダブル・ギヤと噛合う出力ギア、出力ギアと固接するロッカー・アームを含み、または前記減速機構がタイミングベルトで減速する機構である、ことを特徴とする請求項１８に記載のシューズカバーの供給システム。
【請求項２１】
前記クラッチ機構は前記ロッカー・アームに設置されるアーチ形溝及びアーチ形溝内に設置されるピンを含み、ピンがロッカー・アームと固接され、または前記クラッチ機構が前記位置決めホルダに設置されるアーチ形溝及びアーチ形内に設置されるピンを含み、ピンがロッカー・アームと固接される、ことを特徴とする請求項１９に記載のシューズカバーの供給システム。
【請求項２２】
前記口開けモジュールはシューズカバーを開けるための２セットまたは２セット以上の循環に使用されるフックを含む、ことを特徴とする請求項１５に記載のシューズカバーの供給システム。
【請求項２３】
前記口開けモジュールはさらに同期運転する２つのコンベヤーを含み、フックは２セットを有し且つ共に２つのコンベヤーの内側に固接され、第１セットのフック及び第２セットのフックがコンベヤーの周方向に均一に分布され、または前記口開けモジュールはさらに同期に運転する２つのチェーンを含み、フックは２セットを有し且つ共に２つのチェーンの内側に固接され、第１セットのフック及び第２セットのフックがチェーンの周方向に均一に分布される、ことを特徴とする請求項２２に記載のシューズカバーの供給システム。
【発明の詳細な説明】
【技術分野】
【０００１】
本発明は、シューズカバーの供給方法及びシステムに関する。
【背景技術】
【０００２】
日常生活であっても、商工業であっても、多くの場合、訪客はシューズカバーを履いて入ることが要求され、衛生且つ便利である。そのため、市場には自動シューズカバー機が現れ、速やか且つ確実にシューズカバーを供給する課題を解決するため、発明者達はずっと絶えずに研究している。
【０００３】
中国特許文献ＣＮ２５３８１７６は２００３年３月５日にて自動シューズカバー機を開示し、主に従来の一部の場所に入る時に靴を換える必要があることによる迷惑及び足部病菌感染の問題を解決する。主に機械本体、垂直材、踏み板及び押し離れ機構等によって靴を自動にカバーできる１つの装置を構成し、さらに機械用シューズカバーと組合せ、人々が室内に入る必要な時に、直接足を上げて靴を該装置内に置くことができ、各の部材の有機的な連動によって使い捨てシューズカバーを靴の外部にカバーできる。このように入室する時の靴換えの迷惑及び病気足の交差感染を避け、文明高級感を与える。機械のハウジングには靴を入れる孔が設けられ、機械の内部には踏み板、シューズカバー止め輪位置決めホルダ及びシューズカバー止め輪押し離れ機構が設けられ、シューズカバー止め輪位置決めホルダの外部にはバネが被装され、バネの上方にはトップリングが設けられ、踏み板がその位置決め柱に沿って上下移動でき、シフトフォーク部材の片端が踏み板に連接され、他端が可動押板における突き出しパッドを推進でき、可動押板と支持板との間が回転軸によって連接され、支持板内に可動押板における突き出しパッドのそのうちに移動することを許可する溝道が設けられ、シューズカバー止め輪位置決めホルダの上方にはシューズカバー止め輪遮蔽板が設けられ、シューズカバーが弾性収縮口を有し、収縮口にはシューズカバー止め輪が設けられる。該自動シューズカバー機は自動作動でき、使用する時に非常に便利である。
【０００４】
然し、前記特許技術の不足部分も明らかであり、即ち予備用シューズカバーの交換が非常に不便である。前記課題を解決するため、中国特許文献ＣＮ２６２６８６４は２００４年７月２１日にて自動シューズカバー機を開示し、機械のハウジングには靴を入れる孔が設けられ、機械の内部には踏み板、シューズカバー止め輪位置決めホルダ及びシューズカバー止め輪押し離れ機構が設けられ、シューズカバー止め輪位置決めホルダの外部にはバネが被装され、バネの上方にはトップリングが設けられ、踏み板がその位置決め柱に沿って上下移動でき、シフトフォーク部材の片端が踏み板に連接され、他端が可動押板における突き出しパッドを推進でき、可動押板と支持板との間が回転軸によって連接され、支持板内に可動押板における突き出しパッドのそのうちに移動することを許可する溝道が設けられ、シューズカバー止め輪位置決めホルダの上方にはシューズカバー止め輪遮蔽板が設けられ、シューズカバーが弾性収縮口を有し、収縮口にはシューズカバー止め輪が設けられる。該自動シューズカバー機の特徴は構造が簡単で、使用しやすい。
【０００５】
前記第２項の特許技術は、新しいシューズカバーに交換する時に、下に押圧して且つフックで押板を位置決めることによって、シューズカバーの交換をある程度に便利させることができるが、問題が徹底的に解決されていなく、原因は、シューズカバーの事前装着はシューズカバーを一々に広げ、且つ位置決めホルダに被装することが必要である。このような技術はシューズカバーの交換（事前装着）が不便であるだけでなく、シューズカバーの事前装着数量が少なく、作動の確実性が低い等の問題が存在する。
【発明の開示】
【発明が解決しようとする課題】
【０００６】
本発明の目的は従来の技術的欠陥を克服し、シューズカバーの事前装着することが便利であるシューズカバーの供給方法及びシステムを提供することにある。
【０００７】
本発明の目的は従来の技術的欠陥を克服し、シューズカバーの一回性事前装着数量が多い（大容量収納）シューズカバーの供給方法及びシステムを提供することにある。
【０００８】
本発明の目的は従来の技術的欠陥を克服し、作動信頼性の高いシューズカバーの供給方法及びシステムを提供することにある。
【０００９】
それ以外に、
本発明の目的はさらにシューズカバーの事前装着することの精密度に対する要求が低いシューズカバーの供給方法及びシステムを提供することにある。
【００１０】
本発明の目的はさらに運行効率の高いシューズカバーの供給方法及びシステムを提供することにある。
【００１１】
本発明の目的はさらにスペース占用を節約するシューズカバーの供給方法及びシステムを提供することにある。
【課題を解決するための手段】
【００１２】
本発明の目的は以下の技術的解決手段によって実現されることができる。
【００１３】
シューズカバーの供給方法であって、シューズカバー収納モジュール、取出しモジュール、口開けモジュール、リレーモジュールを含み、且つ、（Ｓ１）広げ、（Ｓ２）裏返し、（Ｓ３）リレー復帰の完成か否かを判断し、否であれば（Ｓ３）を繰り返し、（Ｓ４）口開け、（Ｓ５）リレー、（Ｓ６）使用待ち、（Ｓ７）使用完成、（Ｓ８）リレー復帰、（Ｓ９）裏返しの完成か否かを判断し、否であれば（Ｓ９）を繰り返し、（Ｓ１０）（Ｓ４）に戻すステップを含み、そのうち、収納モジュールは長形の開口を有し、シューズカバーの弾性口が前記長形の開口に向いて配置され、取出しモジュールは広げる及び裏返されることができる１対の広げクローを有し、口開けモジュールはシューズカバーを開けるためのフックを有し、リレーモジュールは広げクローからシューズカバーを受け取るためのリレーレバーを有し、且つ、（Ｓ１）広げは取出しモジュールの広げクローが前記長形の開口内においてシューズカバーの弾性口を広げることを指し、（Ｓ２）裏返しは取出しモジュールの広げクローが裏返し運動によって、シューズカバーを収納モジュールから取出すことを指し、（Ｓ３）リレー復帰の完成か否かを判断し、否であれば（Ｓ３）を繰り返し、完成であれば、次のステップに入り、（Ｓ４）口開けは口開けモジュールのフックがシューズカバーの弾性口を引っかけ且つ前記広げクローに対して運動することによってシューズカバーの弾性口を開けることを指し、（Ｓ５）リレーはリレーモジュールのリレーレバーが伸出し且つ前記広げクローからシューズカバーを受け取り、前記広げクローの代わりに前記フックと一緒にシューズカバーの弾性口を広げる状態にし、前記広げクローが逆方向に裏返して前記長形開口に戻し、且つ次の（Ｓ１）広げステップを開始し、（Ｓ８）リレー復帰はリレーレバーを取り戻してリレーステップの前の状態にすることを指し、（Ｓ９）裏返しの完成か否かを判断し、否であれば（Ｓ９）を繰り返し、完成であれば（Ｓ４）に戻って次の循環に入る。
【００１４】
シューズカバーの供給方法であって、前記シューズカバーの長さ方向が長形開口の長さ方向と一致し、且つ、前記広げクローの弾性口を広げる運動が長形開口の長さ方向に沿う直線運動である。直線運動の効果は、広げクローが弾性口内において非常に小さい距離から非常に大きい距離まで広げることができ、それによって、シューズカバーの事前配置することに対する精度要求が非常に低く、事前配置のコストを下げた。
【００１５】
シューズカバーの供給方法であって、前記直線運動は正逆ねじスクリュー及びネジの回転方向が反対する１対のナットによって形成され、前記１対の広げクローがそれぞれ１対のナットに固設され、または前記１対の広げクローがそれぞれ１対のナットと一体に成形される。ネジによって該直線運動を形成する効果は動作が確実で、制御が簡単で、且つ広げクローの裏返しに対して動力を提供できる。
【００１６】
シューズカバーの供給方法であって、前記フックはＵ状開口を有し、前記口開けステップの開始時、フックのＵ状の２つの端部が前記広げクローの両側から通過し、フックのＵ状の１つの端部フックがシューズカバーの弾性口を引っかけ、または前記フックがＬ状であり、前記口開けステップの開始時、フックのＬ状の１つの端部が前記広げクローの内側から通過し、シューズカバーの弾性口を引っかける。Ｕ状フックの効果は、Ｕ状フックの運動においてシューズカバーの開けることを完成できる。Ｕ状フックの効果はさらにフックの長さを減少し、それによって、口開けシステムのスペース占用を節約できる。Ｕ状フックを切替できる手段は前記フックがＬ状であり、前記口開けステップの開始時、フックのＬ状の１つの端部が前記広げクローの内側から通過し、シューズカバーの弾性口を引っかける。本発明に説明されたＵ状及びＬ状が、共にフックのそれの運動方向と垂直する面における形状であり、該形状はフックの断面形状、投影形状またはフックの運動軌跡の形状であってもよい。
【００１７】
シューズカバーの供給方法であって、前記フックは２セットを有し、フックの復帰間隔を節約するように、２セットのフックが循環に作動し、第１セットのフックが口開けステップを完成する時に、他１セットのフックが復帰して次の１つのシューズカバーの受け取りを準備する。
【００１８】
シューズカバーの供給方法であって、前記リレーレバーが１対を有し、リレーレバーが自由端を有し、リレーステップにおいてリレーレバーの自由端が下に向いて振り出しまたは下に向いて伸び出し、リレー復帰ステップにおいて、リレーレバーの自由端が上に向いて振り上げまたは上に向いて縮み戻る。振り出し／振り上げ、または伸び出し／縮み戻り方法を採用すると、共にフックのシューズカバーを開ける時にシューズカバー（口開け方向の前端）を回避し、その後リレーレバーを振り出しまたは伸びだして支持ホルダからシューズカバーを受け取ることができる（口開け方向の尾端）。
【００１９】
シューズカバーの供給方法であって、広げクローの背部にはリレー面取りまたはリレー円弧を有する。
【００２０】
シューズカバーの供給方法であって、前記シューズカバーが平坦化状態でシューズカバー収納モジュールに積層される。積層によって事前装着することはコストが低い。
【００２１】
シューズカバーの供給方法であって、前記シューズカバーが幅方向に沿って開けられる。幅方向に沿って開けることは、口開けの行程が短いため、口開け時間を節約でき、且つ口開け装置のスペース占用を節約する。対応に、シューズカバー方向に沿って広げる行程が長く、それによって、広げクローの広げる距離を有効に長くさせ、シューズカバーの配置に対する精度要求が低い。
【００２２】
シューズカバーの供給方法であって、前記シューズカバーの長さ方向が長形開口の長さ方向と一致し、且つ、前記広げクローの弾性口を広げる運動が長形開口の長さ方向に沿う直線運動であり、前記直線運動は正逆ねじスクリュー及びネジの回転方向が反対する１対のナットによって形成され、前記１対の広げクローがそれぞれ１対のナットに固設され、または前記１対の広げクローがそれぞれ１対のナットと一体に成形され、前記フックはＵ状開口を有し、前記口開けステップの開始時、フックのＵ状の２つの端部が前記広げクローの両側から通過し、フックのＵ状の１つの端部フックがシューズカバーの弾性口を引っかけ、前記フックは２セットを有し、フックの復帰間隔を節約するように、２セットのフックが循環に作動し、第１セットのフックが口開けステップを完成する時に、他１セットのフックが復帰して次の１つのシューズカバーの受け取りを準備し、前記リレーレバーが１対を有し、リレーレバーが自由端を有し、リレーステップにおいてリレーレバーの自由端が下に向いて振り出しまたは下に向いて伸び出し、リレー復帰ステップにおいて、リレーレバーの自由端が上に向いて振り上げまたは上に向いて縮み戻り、広げクローの背部にはリレー面取りまたはリレー円弧を有し、前記シューズカバーが平坦化状態でシューズカバー収納モジュールに積層され、前記シューズカバーが幅方向に沿って開けられる。Ｕ状フックを切替できる手段は前記フックがＬ状であり、前記口開けステップの開始時、フックのＬ状の１つの端部が前記広げクローの内側から通過し、シューズカバーの弾性口を引っかける。
【００２３】
本発明の目的はさらに以下の技術的手段によって実現されることができる。
【００２４】
シューズカバーの供給方法であって、シューズカバー収納モジュール、取出しモジュール、口開けモジュール、リレーモジュールを含み、且つ、（Ｓ１）広げ、（Ｓ２）裏返し、（Ｓ３）使用完成か否かを判断し、否であれば（Ｓ３）を繰り返し、（Ｓ４）口開け、（Ｓ５）リレー復帰、（Ｓ６）リレー、（Ｓ７）使用待ち、（Ｓ８）使用完成、（Ｓ９）裏返しの完成か否かを判断し、否であれば（Ｓ９）を繰り返し、（Ｓ１０）（Ｓ４）に戻すステップを含み、そのうち、収納モジュールは長形の開口を有し、シューズカバーの弾性口が前記長形の開口に向いて配置され、取出しモジュールは広げる及び裏返されることができる１対の広げクローを有し、口開けモジュールはシューズカバーを開けるためのフックを有し、リレーモジュールは広げクローからシューズカバーを受け取るためのリレーレバーを有し、且つ、（Ｓ１）広げは取出しモジュールの広げクローが前記長形の開口内においてシューズカバーの弾性口を広げることを指し、（Ｓ２）裏返しは取出しモジュールの広げクローが裏返し運動によって、シューズカバーを収納モジュールから取出すことを指し、（Ｓ３）前の１つのシューズカバーの使用完成か否かを判断し、否であれば（Ｓ３）を繰り返し、完成であれば、次のステップに入り、（Ｓ４）口開けは口開けモジュールのフックがシューズカバーの弾性口を引っかけ且つ前記広げクローに対して運動することによってシューズカバーの弾性口を開けることを指し、（Ｓ５）リレー復帰はリレーレバーを取り戻し、且つリレーレバーの取り戻しはフックのリレー位置を通過する前に完成され、前記リレー位置はリレーレバーが伸出状態になっている時に所在する位置を指し、（Ｓ６）リレーはリレーモジュールのリレーレバーが伸出し且つ前記広げクローからシューズカバーを受け取り、前記広げクローの代わりに前記フックと一緒にシューズカバーの弾性口を広げる状態にし、前記広げクローが逆方向に裏返して前記長形開口に戻し、且つ次の（Ｓ１）広げステップを開始することを指し、（Ｓ９）ステップは裏返しの完成か否かを判断し、否であれば（Ｓ９）を繰り返し、完成であれば（Ｓ４）に戻って次の循環に入る。本技術的手段において、リレー復帰がオーポンステップの後に設けられる理由は、口開けステップの開始した後、フック及びシューズカバー（口開け方向に沿う）の前端がリレーレバーの所在する位置からすぐ通過することができるわけ無く、本技術的手段は即ちフックがリレーレバーの所在する位置から通過する前の時間段を利用してリレー復帰を完成する。
【００２５】
シューズカバーの供給方法であって、前記シューズカバーの長さ方向が長形開口の長さ方向と一致し、且つ、前記広げクローの弾性口を広げる運動が長形開口の長さ方向に沿う直線運動であり、前記直線運動は正逆ねじスクリュー及びネジの回転方向が反対する１対のナットによって形成され、前記１対の広げクローがそれぞれ１対のナットに固設され、または前記１対の広げクローがそれぞれ１対のナットと一体に成形され、前記フックはＵ状開口を有し、前記口開けステップの開始時、フックのＵ状の２つの端部が前記広げクローの両側から通過し、フックのＵ状の１つの端部フックがシューズカバーの弾性口を引っかけ、または前記フックがＬ状であり、前記口開けステップの開始時、フックのＬ状の１つの端部が前記広げクローの内側から通過し、シューズカバーの弾性口を引っかけ、前記フックは２セットを有し、フックの復帰間隔を節約するように、２セットのフックが循環に作動し、第１セットのフックが口開けステップを完成する時に、他１セットのフックが復帰して次の１つのシューズカバーの受け取りを準備し、前記リレーレバーが１対を有し、リレーレバーが自由端を有し、リレーステップにおいてリレーレバーの自由端が下に向いて振り出しまたは下に向いて伸び出し、リレー復帰ステップにおいて、リレーレバーの自由端が上に向いて振り上げまたは上に向いて縮み戻り、広げクローの背部にはリレー面取りを有し、前記シューズカバーが平坦化状態でシューズカバー収納モジュールに積層され、前記シューズカバーが幅方向に沿って開けられる。
【００２６】
本発明の目的はさらに以下の技術的解決手段によって実現されることができる。
【００２７】
シューズカバーの供給方法であって、シューズカバー収納モジュール、取出しモジュール、口開けモジュール、リレーモジュールを含み、且つ、（Ｓ１）広げ、（Ｓ２）使用完成か否かを判断し、否であれば（Ｓ２）を繰り返し、（Ｓ３）裏返し、（Ｓ４）口開け、（Ｓ５）リレー、（Ｓ６）使用待ち、（Ｓ７）使用完成、（Ｓ８）裏返しの完成か否かを判断し、否であれば（Ｓ８）を繰り返し、（Ｓ９）（Ｓ４）に戻すステップを含み、そのうち、収納モジュールは長形の開口を有し、シューズカバーの弾性口が前記長形の開口に向いて配置され、取出しモジュールは広げる及び裏返されることができる１対の広げクローを有し、口開けモジュールはシューズカバーを開けるためのフックを有し、リレーモジュールは広げクローからシューズカバーを受け取るためのリレーレバーを有し、前記広げクローの（Ｓ５）ステップ時の位置と前記リレーレバーは前記シューズカバーの口開け方向に沿って並行して揃え、且つ、（Ｓ１）広げは取出しモジュールの広げクローが前記長形の開口内においてシューズカバーの弾性口を広げることを指し、（Ｓ３）裏返しは取出しモジュールの広げクローが裏返し運動によって、シューズカバーをリレー状態の位置まで搬送し、且つシューズカバーの弾性口にリレーレバーを囲ませることを指し、（Ｓ４）口開けは口開けモジュールのフックがシューズカバーの弾性口を引っかけ且つ前記広げクローに対して運動することによってシューズカバーの弾性口を開けることを指し、（Ｓ５）リレーはフックの引張り力がシューズカバーの弾性口に作用し、シューズカバーの弾性口を広げクローから離脱させ、リレーレバーに滑り向かせ、リレーレバーが前記広げクローの代わりに前記フックと一緒にシューズカバーの弾性口を広げる状態にし、前記広げクローが逆方向に裏返して前記長形開口に戻し、且つ次の（Ｓ１）広げステップを開始し、（Ｓ８）（Ｓ９）ステップは裏返しの完成か否かを判断し、否であれば（Ｓ９）を繰り返し、完成であれば（Ｓ４）に戻って次の循環に入る。
【００２８】
シューズカバーの供給方法であって、（Ｓ５）リレーステップにおいて、フックの引張り力がシューズカバーの弾性口に作用し、同時に広げクローが真ん中に向いて運動することによって、シューズカバーの弾性口を広げクローから離脱させ、リレーレバーに滑り向かせる。
【００２９】
シューズカバーの供給方法であって、前記リレーレバーが伸出及び収縮できる。
【００３０】
シューズカバーの供給方法であって、前記リレーレバーが固設され、リレーレバーはリレーレバーを回避するための１つの段差を有する。
【００３１】
シューズカバーの供給方法であって、前記シューズカバーの長さ方向は長形開口の長さ方向と一致し、且つ、前記広げクローの弾性口を広げる運動が長形開口の長さ方向に沿う直線運動である。
【００３２】
シューズカバーの供給方法であって、前記直線運動は正逆ねじスクリュー及びネジの回転方向が反対する１対のナットによって形成され、前記１対の広げクローがそれぞれ１対のナットに固設され、または前記１対の広げクローがそれぞれ１対のナットと一体に成形される。
【００３３】
シューズカバーの供給方法であって、前記フックはＵ状開口を有し、前記口開けステップの開始時、フックのＵ状の２つの端部が前記広げクローの両側から通過し、フックのＵ状の１つの端部フックがシューズカバーの弾性口を引っかけ、または前記フックがＬ状であり、前記口開けステップの開始時、フックのＬ状の１つの端部が前記広げクローの内側から通過し、シューズカバーの弾性口を引っかける。
【００３４】
シューズカバーの供給方法であって、前記フックは２セットを有し、フックの復帰間隔を節約するように、２セットのフックが循環に作動し、第１セットのフックが口開けステップを完成する時に、他１セットのフックが復帰して次の１つのシューズカバーの受け取りを準備する。
【００３５】
本発明の目的はさらに以下の技術的解決手段によって実現されることができる。
【００３６】
シューズカバーの供給方法であって、シューズカバー収納モジュール、取出しモジュール、口開けモジュール、リレーモジュールを含み、且つ、（Ｓ１）広げ、（Ｓ２）裏返し、（Ｓ３）使用完成か否かを判断し、否であれば（Ｓ３）を繰り返し、（Ｓ４）口開け、（Ｓ５）リレー、（Ｓ６）使用待ち、（Ｓ７）使用完成、（Ｓ８）裏返しの完成か否かを判断し、否であれば（Ｓ８）を繰り返し、（Ｓ９）（Ｓ４）に戻すステップを含み、そのうち、収納モジュールは長形の開口を有し、シューズカバーの弾性口が前記長形の開口に向いて配置され、取出しモジュールは広げる及び裏返されることができる１対の広げクローを有し、口開けモジュールはシューズカバーを開けるためのフックを有し、リレーモジュールは広げクローからシューズカバーを受け取るためのリレーレバーを有し、前記リレーレバーが固設されており、且つ前記シューズカバーの口開け方向に沿って、リレーレバーの位置が前記広げクローの（Ｓ５）ステップ時における位置より前向きであり、前記フックが（Ｓ４）ステップを実行する時に前記リレーレバーの底部から通過し、且つ（Ｓ１）広げは取出しモジュールの広げクローが前記長形の開口内においてシューズカバーの弾性口を広げることを指し、（Ｓ２）裏返しは取出しモジュールの広げクローが裏返し運動によって、シューズカバーを収納モジュールから取出すことを指し、（Ｓ４）口開けは口開けモジュールのフックがシューズカバーの弾性口を引っかけ且つ前記広げクローに対して運動することによってシューズカバーの弾性口を開けることを指し、（Ｓ５）リレーは広げクローがシューズカバーをリレーモジュールのリレーレバーに引っかけ且つ逆方向に向いて裏返し、リレーレバーが前記広げクローの代わりに前記フックと一緒にシューズカバーの弾性口を口開け状態にし、前記広げクローが逆方向に裏返して前記長形開口に戻し、且つ次の（Ｓ１）広げステップを開始し、（Ｓ８）ステップは裏返しの完成か否かを判断し、否であれば（Ｓ８）を繰り返し、完成であれば（Ｓ４）に戻って次の循環に入る。
【００３７】
シューズカバーの供給方法であって、（Ｓ５）リレーステップは（Ｓ４）口開けステップのフックがリレーレバーの底部から通過した後開始する。
【００３８】
シューズカバーの供給方法であって、（Ｓ５）リレーステップは（Ｓ４）口開けステップの完成する前に開始し、（Ｓ４）及び（Ｓ５）のステップが共に完成した後、やっと（Ｓ６）ステップに入る。
【００３９】
シューズカバーの供給方法であって、前記シューズカバーの長さ方向が長形開口の長さ方向と一致し、且つ、前記広げクローの弾性口を広げる運動が長形開口の長さ方向に沿う直線運動である。
【００４０】
シューズカバーの供給方法であって、前記直線運動は正逆ねじスクリュー及びネジの回転方向が反対する１対のナットによって形成され、前記１対の広げクローがそれぞれ１対のナットに固設され、または前記１対の広げクローがそれぞれ１対のナットと一体に成形される。
【００４１】
シューズカバーの供給方法であって、前記フックはＵ状開口を有し、前記口開けステップの開始時、フックのＵ状の２つの端部が前記広げクローの両側から通過し、フックのＵ状の１つの端部フックがシューズカバーの弾性口を引っかけ、または前記フックがＬ状であり、前記口開けステップの開始時、フックのＬ状の１つの端部が前記広げクローの内側から通過し、シューズカバーの弾性口を引っかける。
【００４２】
シューズカバーの供給方法であって、前記フックは２セットを有し、フックの復帰間隔を節約するように、２セットのフックが循環に作動し、第１セットのフックが口開けステップを完成する時に、他１セットのフックが復帰して次の１つのシューズカバーの受け取りを準備する。
【００４３】
本発明の目的はさらに以下の技術的解決手段によって実現されることができる。
【００４４】
シューズカバーの供給方法であって、シューズカバー収納モジュール、取出しモジュール、口開けモジュール、リレーモジュールを含み、取出しモジュールは、（ＳＡ１）広げ、即ち広げクローが収納モジュール内においてシューズカバーを広げ、（ＳＡ２）裏返し、即ち広げられたシューズカバーを口開け／リレー位置に裏返すステップを実行し、口開けステップは、（ＳＢ１）口開け、即ちフックによってシューズカバーを引っ張って広げ、（ＳＢ２）使用待ち及びシューズカバーを使用するステップを実行し、取出しモジュール及びリレーモジュールは共同に、（ＳＣ１）リレー、取出しモジュールの広げクローがシューズカバーの後端をリレーレバーに引っかけ、広げクローが元に向いて裏返すステップを実行し、そのうち、（ＳＢ１）（ＳＢ２）が循環作動する時に、（ＳＡ１）（ＳＡ２）も循環作動している。
【００４５】
シューズカバーの供給方法であって、収納モジュールは長形開口を有し、シューズカバーの弾性口が前記長形開口に向いて配置され、取出しモジュールは広げる及び裏返されることができる１対の広げクローを有し、口開けモジュールはシューズカバーを開けるためのフックを有し、リレーモジュールは広げクローからシューズカバーを受け取るためのリレーレバーを有する。
【００４６】
シューズカバーの供給方法であって、前記シューズカバーの長さ方向が長形開口の長さ方向と一致し、且つ、前記広げクローの弾性口を広げる運動が長形開口の長さ方向に沿う直線運動である。
【００４７】
シューズカバーの供給方法であって、前記直線運動は正逆ねじスクリュー及びネジの回転方向が反対する１対のナットによって形成され、前記１対の広げクローがそれぞれ１対のナットに固設され、または前記１対の広げクローがそれぞれ１対のナットと一体に成形される。
【００４８】
シューズカバーの供給方法であって、前記フックはＵ状開口を有し、前記口開けステップの開始時、フックのＵ状の２つの端部が前記広げクローの両側から通過し、フックのＵ状の１つの端部フックがシューズカバーの弾性口を引っかけ、または前記フックがＬ状であり、前記口開けステップの開始時、フックのＬ状の１つの端部が前記広げクローの内側から通過し、シューズカバーの弾性口を引っかける。
【００４９】
シューズカバーの供給方法であって、前記フックは２セットを有し、フックの復帰間隔を節約するように、２セットのフックが循環に作動し、第１セットのフックが口開けステップを完成する時に、他１セットのフックが復帰して次の１つのシューズカバーの受け取りを準備する。
【００５０】
本発明の目的はさらに以下の技術的解決手段によって実現されることができる。
【００５１】
シューズカバーの供給システムであって、シューズカバー収納モジュール、取出しモジュール、口開けモジュール、リレーモジュールを含み、収納モジュールは長形開口を有し、シューズカバーの弾性口が前記長形開口に向いて配置され、取出しモジュールは広げる及び裏返されることができる１対の広げクローを有し、口開けモジュールはシューズカバーを開けるためのフックを有し、リレーモジュールは広げクローからシューズカバーを受け取るためのリレーレバーを有する。
【００５２】
シューズカバーの供給システムであって、前記シューズカバー収納モジュールは取出しモジュールの上部に位置し、且つ長形開口が下に向いて設置され、前記口開けモジュールは取出しモジュールの下部に位置し且つ口開けモジュールのシューズカバーを受け取る片端が取出しモジュールに接近して設置され、リレーモジュールは口開けモジュールのシューズカバーを受け取る片端に接近して設置される。
【００５３】
シューズカバーの供給システムであって、前記取出しモジュールは正逆ねじスクリュー及びネジの回転方向が反対する１対のナットを含み、前記広げクローがナットと固接されまたは一体に成形され、前記取出しモジュールはさらに広げクローの回転を約束する案内部材を含む。
【００５４】
シューズカバーの供給システムであって、前記案内部材は１つの位置決めホルダを含み、位置決めホルダは正逆ねじスクリューの長さ方向に沿って設置される位置決め溝を有し、広げクローが位置決めホルダの位置決め溝内に制限され、または前記案内部材は１つの位置決め軸を含み、位置決め軸が正逆ねじスクリューの長さ方向に沿って設置され、広げクローが前記位置決め軸と対応する案内孔を有し、広げクローが案内孔を通じて位置決め軸に被装される。
【００５５】
シューズカバーの供給システムであって、前記取出しモジュールはさらに前記案内部材を固定するための位置決め器を含む。
【００５６】
シューズカバーの供給システムであって、前記取出しモジュールはさらに前記案内部材と連接するロッカー・アーム、及び減速機構を含み、案内部材が減速機構を通じて主ねじと連動・連接される。
【００５７】
シューズカバーの供給システムであって、ロッカー・アームがクラッチ機構を通じて案内部材を連接する。
【００５８】
シューズカバーの供給システムであって、前記減速機構がギア機構であり、正逆ねじスクリューに固定される入力ギア、入力ギアと噛合うダブル・ギヤ、ダブル・ギヤと噛合う出力ギア、出力ギアと固接するロッカー・アームを含み、または前記減速機構が同期減速の有する機構である。
【００５９】
シューズカバーの供給システムであって、前記クラッチ機構は前記ロッカー・アームに設置されるアーチ形溝及びアーチ形溝内に設置されるピンを含み、ピンがロッカー・アームと固接され、または前記クラッチ機構が前記位置決めホルダに設置されるアーチ形溝及びアーチ形内に設置されるピンを含み、ピンがロッカー・アームと固接される。
【００６０】
シューズカバーの供給システムであって、前記取出しモジュールは１つのハウジングを含み、前記位置決め器がハウジングに固接され、前記位置決め器が位置決め状態及び離脱状態を有し、前記クラッチ機構がロッカー・アームと案内部材とを分離する時に、前記位置決め器が位置決め状態になっており、前記クラッチ機構がロッカー・アームと案内部材とを接合する時に、前記位置決め器が離脱状態になっている。
【００６１】
シューズカバーの供給システムであって、前記位置決め器は位置決め器または案内部材に設置され、且つ位置決め器と案内部材との間に吸着力を形成する磁石を含む。
【００６２】
シューズカバーの供給システムであって、前記口開けモジュールはシューズカバーを開けるための２セットまたは２セット以上の循環に使用されるフックを含む。
【００６３】
シューズカバーの供給システムであって、前記口開けモジュールはさらに同期運転する２つのコンベヤーを含み、フックは２セットを有し且つ共に２つのコンベヤーの内側に固接され、第１セットのフック及び第２セットのフックがコンベヤーの周方向に均一に分布され、または前記口開けモジュールはさらに同期に運転する２つのチェーンを含み、フックは２セットを有し且つ共に２つのチェーンの内側に固接され、第１セットのフック及び第２セットのフックがチェーンの周方向に均一に分布される。
【００６４】
シューズカバーの供給システムであって、前記フックはＵ状開口を有し、且つ前記広げクローがＵ状開口内から通過できるように、Ｕ状開口の幅が前記広げクローの幅より大きく、または前記フックがＬ状であり、フックのＬ状の１つの端部が前記広げクローの内側から通過できる。
【００６５】
シューズカバーの供給システムであって、前記リレーモジュールのリレーレバーが１対を有し、１対の広げクローの内側に位置し、且つ前記フックのシューズカバーを開ける方向に向いて１つの変位を偏倚する。
【００６６】
シューズカバーの供給システムであって、リレーレバーが伸出及び収縮、２種の状態を有し、前記リレーレバーが１つの揺動構造または伸縮構造を連接することによって、伸出及び収縮を実現する。
【００６７】
シューズカバーの供給システムであって、前記口開けモジュールは１対の架台を含み、架台の底部には摺動レールが設置される。
【００６８】
シューズカバーの供給システムであって、前記シューズカバーが平坦化状態でシューズカバー収納モジュールに積層され、前記シューズカバーの長さ方向が前記長形開口の方向と一致する。
【００６９】
シューズカバーの供給システムであって、前記シューズカバー収納モジュールは取出しモジュールの上部に位置し、且つ長形開口が下に向いて設置され、前記口開けモジュールは取出しモジュールの下部に位置し且つ口開けモジュールのシューズカバーを受け取る片端が取出しモジュールに接近して設置され、リレーモジュールは口開けモジュールのシューズカバーを受け取る片端に接近して設置され、前記取出しモジュールは正逆ねじスクリュー及びネジの回転方向が反対する１対のナットを含み、前記広げクローがナットと固接されまたは一体に成形され、前記取出しモジュールはさらに広げクローの回転を約束する案内部材を含み、前記案内部材は１つの位置決めホルダを含み、位置決めホルダは正逆ねじスクリューの長さ方向に沿って設置される位置決め溝を有し、広げクローが位置決めホルダの位置決め溝内に制限され、または前記案内部材は１つの位置決め軸を含み、位置決め軸が正逆ねじスクリューの長さ方向に沿って設置され、広げクローが前記位置決め軸と対応する案内孔を有し、広げクローが案内孔を通じて位置決め軸に被装され、前記取出しモジュールはさらに前記案内部材を固定するための位置決め器を含み、前記取出しモジュールはさらに前記案内部材と連接するロッカー・アーム、及び減速機構を含み、案内部材が減速機構を通じて主ねじと連動・連接され、前記取出しモジュールはさらに前記案内部材と連接するロッカー・アーム、及び減速機構を含み、案内部材が減速機構を通じて主ねじと連動・連接され、ロッカー・アームがクラッチ機構を通じて案内部材を連接し、前記減速機構がギア機構であり、正逆ねじスクリューに固定される入力ギア、入力ギアと噛合うダブル・ギヤ、ダブル・ギヤと噛合う出力ギア、出力ギアと固接するロッカー・アームを含み、または前記減速機構が同期減速の有する機構であり、前記クラッチ機構は前記ロッカー・アームに設置されるアーチ形溝及びアーチ形溝内に設置されるピンを含み、ピンがロッカー・アームと固接され、または前記クラッチ機構は前記位置決めホルダに設置されるアーチ形溝及びアーチ形内に設置されるピンを含み、ピンがロッカー・アームと固接され、前記取出しモジュールは１つのハウジングを含み、前記位置決め器がハウジングに固接され、前記位置決め器が位置決め状態及び離脱状態を有し、前記クラッチ機構がロッカー・アームと案内部材とを分離する時に、前記位置決め器が位置決め状態になっており、前記クラッチ機構がロッカー・アームと案内部材とを接合する時に、前記位置決め器が離脱状態になり、前記位置決め器は位置決め器または案内部材に設置され、且つ位置決め器と案内部材との間に吸着力を形成する磁石を含み、前記口開けモジュールはシューズカバーを開けるための２セットまたは２セット以上の循環に使用されるフックを含み、前記口開けモジュールはさらに同期運転する２つのコンベヤーを含み、フックは２セットを有し且つ共に２つのコンベヤーの内側に固接され、第１セットのフック及び第２セットのフックがコンベヤーの周方向に均一に分布され、または前記口開けモジュールはさらに同期に運転する２つのチェーンを含み、フックは２セットを有し且つ共に２つのチェーンの内側に固接され、第１セットのフック及び第２セットのフックがチェーンの周方向に均一に分布され、前記フックはＵ状開口を有し、且つ前記広げクローがＵ状開口内から通過できるように、Ｕ状開口の幅が前記広げクローの幅より大きく、または前記フックがＬ状であり、フックのＬ状の１つの端部が前記広げクローの内側から通過でき、前記リレーモジュールのリレーレバーが１対を有し、１対の広げクローの内側に位置し、且つ前記フックのシューズカバーを開ける方向に向いて１つの変位を偏倚し、リレーレバーが伸出及び収縮、２種の状態を有し、前記リレーレバーが１つの揺動構造または伸縮構造を連接することによって、伸出及び収縮を実現し、前記口開けモジュールは１対の架台を含み、架台の底部には摺動レールが設置され、前記シューズカバーが平坦化状態でシューズカバー収納モジュールに積層され、前記シューズカバーの長さ方向が前記長形開口の方向と一致する。
【００７０】
シューズカバーの供給システムであって、前記案内部材は１つの裏返しモータに接続され、前記案内部材の前記正逆ねじスクリューの軸心を回って裏返すことを駆動することによって前記広げクローを裏返すように連動させる。
【００７１】
シューズカバーの供給システムであって、前記案内部材は１つの裏返しモータに接続され、前記案内部材の前記正逆ねじスクリューの軸心を回って裏返すことを駆動することによって前記広げクローを裏返すように連動させる。
【００７２】
シューズカバーの供給システムであって、前記リレーレバーが固定不動である。
【００７３】
シューズカバーの供給システムであって、前記広げクローは広げクローがリレーレバーに対してシューズカバーを伝達する位置になっている時に、前記広げクローが前記リレーレバーと前記シューズカバーの口開け方向に沿って並行して揃える。
【００７４】
シューズカバーの供給システムであって、前記リレーレバーは前記広げクローを回避するための１つの段差を有する。
【００７５】
シューズカバーの供給システムであって、前記口開けモジュールはシューズカバーを開けるための２セットまたは２セット以上の循環に使用されているフックを含む。
【００７６】
シューズカバーの供給システムであって、前記口開けモジュールはさらに同期運転する２つのコンベヤーを含み、フックは２セットを有し且つ共に２つのコンベヤーの内側に固接され、第１セットのフック及び第２セットのフックがコンベヤーの周方向に均一に分布され、または前記口開けモジュールはさらに同期に運転する２つのチェーンを含み、フックは２セットを有し且つ共に２つのチェーンの内側に固接され、第１セットのフック及び第２セットのフックがチェーンの周方向に均一に分布される。
【００７７】
シューズカバーの供給システムであって、前記フックはＵ状開口を有し、且つ前記広げクローがＵ状開口内から通過できるように、Ｕ状開口の幅が前記広げクローの幅より大きく、または前記フックがＬ状であり、フックのＬ状の１つの端部が前記広げクローの内側から通過できる。
【００７８】
シューズカバーの供給システムであって、前記フックがシューズカバーの開ける状態になり始めている時に、前記シューズカバーの口開け方向に沿って、前記リレーレバーの位置が前記広げクローの位置と比べより前であり、且つ前記リレーレバーの底端が前記広げクローの底端より低く、前記フックが前記リレーレバーのシューズカバーの口開け方向に沿う前方になっている時に、前記広げクローがやっと輪になる状態を開始し、リレーレバーに対してシューズカバーを伝達する。
【００７９】
シューズカバーの供給システムであって、シューズカバーの口開け方向に沿って、前記フックが前記リレーレバーと並行して揃える位置になっている時に、前記フックが前記リレーレバーの下方に位置する。
【００８０】
シューズカバーの供給システムであって、前記口開けモジュールはシューズカバーを開けるための２セットまたは２セット以上の循環に使用されているフックを含む。
【００８１】
シューズカバーの供給システムであって、前記口開けモジュールはさらに同期運転する２つのコンベヤーを含み、フックは２セットを有し且つ共に２つのコンベヤーの内側に固接され、第１セットのフック及び第２セットのフックがコンベヤーの周方向に均一に分布され、または前記口開けモジュールはさらに同期に運転する２つのチェーンを含み、フックは２セットを有し且つ共に２つのチェーンの内側に固接され、第１セットのフック及び第２セットのフックがチェーンの周方向に均一に分布される。
【００８２】
シューズカバーの供給システムであって、さらに後端コンベヤーホイールまたは後端チェーンホイールを含み、前記フックが後端コンベヤーホイールまたは後端チェーンホイールの後水平象限点からシューズカバーを開け、前記フックが前記リレーレバーと並行して揃える位置になっている時に、前記フックが前記リレーレバーの下方に位置することを確保するように、前記リレーレバーの水平投影が後端コンベヤーホイールまたは後端チェーンホイールの区域内に位置する。
【００８３】
シューズカバーの供給システムであって、前記フックはＵ状開口を有し、且つ前記広げクローがＵ状開口内から通過できるように、Ｕ状開口の幅が前記広げクローの幅より大きく、または前記フックがＬ状であり、フックのＬ状の１つの端部が前記広げクローの内側から通過できる。
【００８４】
本発明の目的はさらに以下の技術的手段によって実現されることができる。
【００８５】
シューズカバーの供給システムであって、シューズカバー収納モジュール、取出しモジュール、口開けモジュールを含み、収納モジュールは長形開口を有し、シューズカバーの弾性口が前記長形開口に向いて配置され、取出しモジュールは広げる及び裏返されることができる１対の広げクローを有し、口開けモジュールはシューズカバーを開けるためのフックを有し、前記シューズカバーが平坦化状態でシューズカバー収納モジュールに積層され、前記シューズカバーの長さ方向が前記長形開口の方向と一致し、前記広げクローの広げ方向も長形開口の方向と一致する。
【００８６】
シューズカバーの供給システムであって、前記シューズカバー収納モジュールは取出しモジュールの上部に位置し、且つ長形開口が下に向いて設置され、前記口開けモジュールは取出しモジュールの下部に位置し且つ口開けモジュールのシューズカバーを受け取る片端が取出しモジュールに接近して設置される。
【００８７】
シューズカバーの供給システムであって、前記取出しモジュールは正逆ねじスクリュー及びネジの回転方向が反対する１対のナットを含み、前記広げクローが前記ナットと固接されまたはナットと一体に成形され、前記取出しモジュールはさらに広げクローの回転を約束する案内部材、ロッカー・アーム、案内部材を固定するための位置決め器を含み、広げクローが案内部材に沿って摺動するように制限される。
【００８８】
シューズカバーの供給システムであって、前記取出しモジュールはさらに減速機構を含み、位置決めホルダが減速機構を通じて主ねじと連動・連接され、ロッカー・アームがクラッチ機構を通じて位置決めホルダと連接され、前記クラッチ機構は前記ロッカー・アームに設置されるアーチ形溝及びアーチ形溝内に設置されるピンを含み、ピンが位置決めホルダと固接される。
【００８９】
本発明の目的はさらに以下の技術的解決手段によって実現されることができる。
【００９０】
シューズカバーの供給システムであって、取出しモジュールを含み、取出しモジュールは広げる及び裏返されることができる１対の広げクローを有し、いずれの広げクローの前端にはフック部を有し、１対の広げクローの２つのフック部が裏向きに設置され、いずれの広げクローの前端の背面にはリレー面取りまたはリレー円弧を有し、前記背面が広げクローの裏返し方向と反対する面を指す。
【発明の効果】
【００９１】
本発明のシューズカバー供給方法及びシステムは、収納モジュール及び取出しモジュールを有し、シューズカバーが取出しモジュールの取出しのために事前に収納モジュール内に装着され、従来の技術と比べ、シューズカバーの事前装着が簡単で且つ一回に事前に装着されたシューズカバーの数量が多く、且つ事前装着が簡単で、取出しモジュールは広げクローの広げ及び裏返しによってシューズカバーを取出し、シューズカバーの事前装着精密度に対する要求が低く、本発明の収納モジュール、取出しモジュール及び口開けモジュールはそれぞれ設置され、スペース位置資源を十分に利用し、スペース占用を節約でき、本発明の取出しモジュールと口開けモジュールとがそれぞれ設置され、独立に循環作動でき、従来の技術と比べ、さらに運行効率の高い特徴を有する。
【図面の簡単な説明】
【００９２】
【図１】図１は本発明の実施例１のフロー説明図である。
【図２】図２は本発明の実施例２のフロー説明図である。
【図３】図３は本発明の実施例３のフロー説明図である。
【図４】図４は本発明の実施例４のフロー説明図である。
【図５】図５は本発明の実施例６の説明図である。
【図６】図６は本発明の実施例６の収納モジュールの説明図である。
【図７】図７は本発明の実施例６の取出しモジュールの説明図である。
【図８】図８は本発明の実施例６の取出しモジュールの広げ状態の側面図である。
【図９】図９は本発明の実施例６の取出しモジュールのオープン状態の側面図である。
【図１０】図１０は本発明の実施例６のオープン状態の説明図である。
【図１１】図１１は図１０におけるＡ以外の部分拡大説明図である。
【図１２】図１２は図１０におけるＢ−Ｂ断面の説明図である。
【図１３】図１３は図１２におけるＣ方向の部分説明図である。
【図１４】図１４は本発明の実施例６のフックが広げクローから弾性口を引っ張って広げる状態の説明図である。
【図１５】図１５は図１４に示す状態の俯瞰図である。
【図１６】図１６は本発明の実施例６のリレーモジュールの説明図である。
【図１７】図１７は本発明の実施例６のリレー状態の説明図である。
【図１８】図１８は図１４に示す状態下の広げクローの説明図である。
【図１９】図１９は図１８におけるＤ方向の説明図である。
【図２０】図２０は図１９におけるＥ方法の説明図である。
【図２１】図２１は本発明の実施例７のリレー側面図である。
【図２２】図２２は本発明の実施例７のリレー俯瞰図である。
【図２３】図２３は本発明の実施例８のリレー側面図である。
【図２４】図２４は本発明の実施例８のリレー俯瞰図である。
【発明を実施するための形態】
【００９３】
以下、図面に合わせて本発明に対してさらに詳細に説明する。
【００９４】
図１を参考し、本発明の実施例１はシューズカバーの供給方法であって、シューズカバー収納モジュール、取出しモジュール、口開けモジュール、リレーモジュールを含み、且つ、（Ｓ１）広げ、（Ｓ２）裏返し、（Ｓ３）リレー復帰の完成か否かを判断し、否であれば（Ｓ３）を繰り返し、（Ｓ４）口開け、（Ｓ５）リレー、（Ｓ６）使用待ち、（Ｓ７）使用完成、（Ｓ８）リレー復帰、（Ｓ９）裏返しの完成か否かを判断し、否であれば（Ｓ９）を繰り返し、（Ｓ１０）（Ｓ４）に戻すステップを含み、そのうち、収納モジュールは長形の開口を有し、シューズカバーの弾性口が前記長形の開口に向いて配置され、取出しモジュールは広げる及び裏返されることができる１対の広げクローを有し、口開けモジュールはシューズカバーを開けるためのフックを有し、リレーモジュールは広げクローからシューズカバーを受け取るためのリレーレバーを有し、且つ、（Ｓ１）広げは取出しモジュールの広げクローが前記長形の開口内においてシューズカバーの弾性口を広げることを指し、（Ｓ２）裏返しは取出しモジュールの広げクローが裏返し運動によって、シューズカバーを収納モジュールから取出すことを指し、（Ｓ３）リレー復帰の完成か否かを判断し、否であれば（Ｓ３）を繰り返し、完成であれば、次のステップに入り、（Ｓ４）口開けは口開けモジュールのフックがシューズカバーの弾性口を引っかけ且つ前記広げクローに対して運動することによってシューズカバーの弾性口を開けることを指し、（Ｓ５）リレーはリレーモジュールのリレーレバーが伸出し且つ前記広げクローからシューズカバーを受け取り、前記広げクローの代わりに前記フックと一緒にシューズカバーの弾性口を広げる状態にし、前記広げクローが逆方向に裏返して前記長形開口に戻し、且つ次の（Ｓ１）広げステップを開始し、（Ｓ８）リレー復帰はリレーレバーを取り戻してリレーステップの前の状態にすることを指し、（Ｓ９）裏返しの完成か否かを判断し、否であれば（Ｓ９）を繰り返し、完成であれば（Ｓ４）に戻って次の循環に入る。
【００９５】
本実施例の更なる好適な実施形態として、前記シューズカバーの長さ方向が長形開口の長さ方向と一致し、且つ、前記広げクローの弾性口を広げる運動が長形開口の長さ方向に沿う直線運動である。直線運動の効果は、広げクローが弾性口内において非常に小さい距離から非常に大きい距離まで広げることができ、それによって、シューズカバーの事前配置することに対する精度要求が非常に低く、事前配置のコストを下げた。
【００９６】
本実施例の更なる好適な実施形態として、前記シューズカバーの長さ方向が長形開口の長さ方向と一致し、且つ、前記広げクローの弾性口を広げる運動が長形開口の長さ方向に沿う直線運動である。前記直線運動は正逆ねじスクリュー及びネジの回転方向が反対する１対のナットによって形成され、前記１対の広げクローがそれぞれ１対のナットに固設され、または前記１対の広げクローがそれぞれ１対のナットと一体に成形される。ネジによって該直線運動を形成する効果は動作が確実で、制御が簡単で、且つ広げクローの裏返しに対して動力を提供できる。
【００９７】
本実施例の更なる好適な実施形態として、前記フックはＵ状開口を有し、前記口開けステップの開始時、フックのＵ状の２つの端部が前記広げクローの両側から通過し、フックのＵ状の１つの端部フックがシューズカバーの弾性口を引っかける。Ｕ状フックの効果は、Ｕ状フックの運動においてシューズカバーの開けることを完成できる。Ｕ状フックの効果はさらにフックの長さを減少し、それによって、口開けシステムのスペース占用を節約できる。理解すべきなのは、Ｕ状フックを切替できる手段は前記フックがＬ状であり、前記口開けステップの開始時、フックのＬ状の１つの端部が前記広げクローの内側から通過し、シューズカバーの弾性口を引っかける。本発明に説明されたＵ状及びＬ状が、共にフックのそれの運動方向と垂直する面における形状であり、該形状はフックの断面形状、投影形状またはフックの運動軌跡の形状であってもよい。
【００９８】
本実施例の更なる好適な実施形態として、前記フックはＵ状開口を有し、前記口開けステップの開始時、フックのＵ状の２つの端部が前記広げクローの両側から通過し、フックのＵ状の１つの端部フックがシューズカバーの弾性口を引っかける。理解すべきなのは、Ｕ状フックを切替できる手段は前記フックがＬ状であり、前記口開けステップの開始時、フックのＬ状の１つの端部が前記広げクローの内側から通過し、シューズカバーの弾性口を引っかける。前記フックは２セットを有し、フックの復帰間隔を節約するように、２セットのフックが循環に作動し、第１セットのフックが口開けステップを完成する時に、他１セットのフックが復帰して次の１つのシューズカバーの受け取りを準備する。
【００９９】
本実施例の更なる好適な実施形態として、前記リレーレバーが１対を有し、リレーレバーが自由端を有し、リレーステップにおいてリレーレバーの自由端が下に向いて振り出しまたは下に向いて伸び出し、リレー復帰ステップにおいて、リレーレバーの自由端が上に向いて振り上げまたは上に向いて縮み戻る。振り出し／振り上げ、または伸び出し／縮み戻り方法を採用すると、共にフックのシューズカバーを開ける時にシューズカバー（口開け方向の前端）を回避し、その後リレーレバーを振り出しまたは伸びだして支持ホルダからシューズカバーを受け取ることができる（口開け方向の尾端）。
【０１００】
本実施例の更なる好適な実施形態として、前記リレーレバーが１対を有し、リレーレバーが自由端を有し、リレーステップにおいてリレーレバーの自由端が下に向いて振り出しまたは下に向いて伸び出し、リレー復帰ステップにおいて、リレーレバーの自由端が上に向いて振り上げまたは上に向いて縮み戻る。前記広げクローの背部にはリレー面取りまたはリレー円弧を有することによって、リレー復帰時の広げクローの退避に便利を与える。
【０１０１】
本実施例の更なる好適な実施形態として、前記シューズカバーが平坦化状態でシューズカバー収納モジュールに積層される。本技術的解決手段は前記いずれか１種の好適な実施形態と組み合わせることができ、積層によって事前装着することはコストが低い。
【０１０２】
本実施例の更なる好適な実施形態として、前記シューズカバーが幅方向に沿って開けられる。本技術的解決手段は前記いずれか１種の好適な実施形態と組み合わせることができ、幅方向に沿って開けることは、口開けの行程が短いため、口開け時間を節約でき、且つ口開け装置のスペース占用を節約する。対応に、シューズカバー方向に沿って広げる行程が長く、それによって、広げクローの広げる距離を有効に長くさせ、シューズカバーの配置に対する精度要求が低い。
【０１０３】
理解すべきなのは、本実施例の更なる好適な実施形態として、前記その他の実施形態を同時に集めて実施してもよい。前記シューズカバーの長さ方向が長形開口の長さ方向と一致し、且つ、前記広げクローの弾性口を広げる運動が長形開口の長さ方向に沿う直線運動であり、前記直線運動は正逆ねじスクリュー及びネジの回転方向が反対する１対のナットによって形成され、前記１対の広げクローがそれぞれ１対のナットに固設され、または前記１対の広げクローがそれぞれ１対のナットと一体に成形され、前記フックはＵ状開口を有し、前記口開けステップの開始時、フックのＵ状の２つの端部が前記広げクローの両側から通過し、フックのＵ状の１つの端部フックがシューズカバーの弾性口を引っかけ、前記フックは２セットを有し、フックの復帰間隔を節約するように、２セットのフックが循環に作動し、第１セットのフックが口開けステップを完成する時に、他１セットのフックが復帰して次の１つのシューズカバーの受け取りを準備し、前記リレーレバーが１対を有し、リレーレバーが自由端を有し、リレーステップにおいてリレーレバーの自由端が下に向いて振り出しまたは下に向いて伸び出し、リレー復帰ステップにおいて、リレーレバーの自由端が上に向いて振り上げまたは上に向いて縮み戻り、広げクローの背部にはリレー面取りまたはリレー円弧を有し、前記シューズカバーが平坦化状態でシューズカバー収納モジュールに積層され、前記シューズカバーが幅方向に沿って開けられる。Ｕ状フックを切替できる手段は前記フックがＬ状であり、前記口開けステップの開始時、フックのＬ状の１つの端部が前記広げクローの内側から通過し、シューズカバーの弾性口を引っかける。
【０１０４】
図２を参考し、本発明の実施例２もシューズカバーの供給方法であって、シューズカバー収納モジュール、取出しモジュール、口開けモジュール、リレーモジュールを含み、且つ、（Ｓ１）広げ、（Ｓ２）裏返し、（Ｓ３）使用完成か否かを判断し、否であれば（Ｓ３）を繰り返し、（Ｓ４）口開け、（Ｓ５）リレー復帰、（Ｓ６）リレー、（Ｓ７）使用待ち、（Ｓ８）使用完成、（Ｓ９）裏返しの完成か否かを判断し、否であれば（Ｓ９）を繰り返し、（Ｓ１０）（Ｓ４）に戻すステップを含み、そのうち、収納モジュールは長形の開口を有し、シューズカバーの弾性口が前記長形の開口に向いて配置され、取出しモジュールは広げる及び裏返されることができる１対の広げクローを有し、口開けモジュールはシューズカバーを開けるためのフックを有し、リレーモジュールは広げクローからシューズカバーを受け取るためのリレーレバーを有し、且つ、（Ｓ１）広げは取出しモジュールの広げクローが前記長形の開口内においてシューズカバーの弾性口を広げることを指し、（Ｓ２）裏返しは取出しモジュールの広げクローが裏返し運動によって、シューズカバーを収納モジュールから取出すことを指し、（Ｓ３）前の１つのシューズカバーの使用完成か否かを判断し、否であれば（Ｓ３）を繰り返し、完成であれば、次のステップに入り、（Ｓ４）口開けは口開けモジュールのフックがシューズカバーの弾性口を引っかけ且つ前記広げクローに対して運動することによってシューズカバーの弾性口を開けることを指し、（Ｓ５）リレー復帰はリレーレバーを取り戻し、且つリレーレバーの取り戻しはフックのリレー位置を通過する前に完成され、前記リレー位置はリレーレバーが伸出状態になっている時に所在する位置を指し、（Ｓ６）リレーはリレーモジュールのリレーレバーが伸出し且つ前記広げクローからシューズカバーを受け取り、前記広げクローの代わりに前記フックと一緒にシューズカバーの弾性口を広げる状態にし、前記広げクローが逆方向に裏返して前記長形開口に戻し、且つ次の（Ｓ１）広げステップを開始することを指し、（Ｓ９）ステップは裏返しの完成か否かを判断し、否であれば（Ｓ９）を繰り返し、完成であれば（Ｓ４）に戻って次の循環に入る。本技術的手段において、リレー復帰がオーポンステップの後に設けられる理由は、口開けステップの開始した後、フック及びシューズカバー（口開け方向に沿う）の前端がリレーレバーの所在する位置からすぐ通過することができるわけ無く、本技術的手段は即ちフックがリレーレバーの所在する位置から通過する前の時間段を利用してリレー復帰を完成する。
【０１０５】
本実施例の更なる好適な実施形態として、前記シューズカバーの長さ方向が長形開口の長さ方向と一致し、且つ、前記広げクローの弾性口を広げる運動が長形開口の長さ方向に沿う直線運動であり、前記直線運動は正逆ねじスクリュー及びネジの回転方向が反対する１対のナットによって形成され、前記１対の広げクローがそれぞれ１対のナットに固設され、または前記１対の広げクローがそれぞれ１対のナットと一体に成形され、前記フックはＵ状開口を有し、前記口開けステップの開始時、フックのＵ状の２つの端部が前記広げクローの両側から通過し、フックのＵ状の１つの端部フックがシューズカバーの弾性口を引っかけ、前記フックは２セットを有し、フックの復帰間隔を節約するように、２セットのフックが循環に作動し、第１セットのフックが口開けステップを完成する時に、他１セットのフックが復帰して次の１つのシューズカバーの受け取りを準備し、前記リレーレバーが１対を有し、リレーレバーが自由端を有し、リレーステップにおいてリレーレバーの自由端が下に向いて振り出しまたは下に向いて伸び出し、リレー復帰ステップにおいて、リレーレバーの自由端が上に向いて振り上げまたは上に向いて縮み戻り、広げクローの背部にはリレー面取りを有し、前記シューズカバーが平坦化状態でシューズカバー収納モジュールに積層され、前記シューズカバーが幅方向に沿って開けられる。Ｕ状フックを切替できる技術的手段は前記フックがＬ状であり、前記口開けステップの開始時、フックのＬ状の１つの端部が前記広げクローの内側から通過し、シューズカバーの弾性口を引っかける。
【０１０６】
図３を参考し、本発明の実施例３がシューズカバーの供給方法であって、シューズカバー収納モジュール、取出しモジュール、口開けモジュール、リレーモジュールを含み、且つ、（Ｓ１）広げ、（Ｓ２）使用完成か否かを判断し、否であれば（Ｓ２）を繰り返し、（Ｓ３）裏返し、（Ｓ４）口開け、（Ｓ５）リレー、（Ｓ６）使用待ち、（Ｓ７）使用完成、（Ｓ８）裏返しの完成か否かを判断し、否であれば（Ｓ８）を繰り返し、（Ｓ９）（Ｓ４）に戻すステップを含み、そのうち、収納モジュールは長形の開口を有し、シューズカバーの弾性口が前記長形の開口に向いて配置され、取出しモジュールは広げる及び裏返されることができる１対の広げクローを有し、口開けモジュールはシューズカバーを開けるためのフックを有し、リレーモジュールは広げクローからシューズカバーを受け取るためのリレーレバーを有し、前記広げクローの（Ｓ５）ステップ時の位置と前記リレーレバーは前記シューズカバーの口開け方向に沿って並行して揃え、二者が並行して揃えるため、前のシューズカバーが使用完成されていなかった時に、次のシューズカバーはリレーポジェションに裏返すことができず、そうしないと、前のシューズカバーと干渉を発生する恐れがあり、そのため、（Ｓ２）ステップが必須であり、且つ、（Ｓ１）広げは取出しモジュールの広げクローが前記長形の開口内においてシューズカバーの弾性口を広げることを指し、（Ｓ３）裏返しは取出しモジュールの広げクローが裏返し運動によって、シューズカバーをリレー状態の位置まで搬送し、且つシューズカバーの弾性口にリレーレバーを囲ませることを指し、（Ｓ４）口開けは口開けモジュールのフックがシューズカバーの弾性口を引っかけ且つ前記広げクローに対して運動することによってシューズカバーの弾性口を開けることを指し、（Ｓ５）リレーはフックの引張り力がシューズカバーの弾性口に作用し、シューズカバーの弾性口を広げクローから離脱させ、リレーレバーに滑り向かせ、リレーレバーが前記広げクローの代わりに前記フックと一緒にシューズカバーの弾性口を広げる状態にし、前記広げクローが逆方向に裏返して前記長形開口に戻し、且つ次の（Ｓ１）広げステップを開始し、（Ｓ８）（Ｓ９）ステップは裏返しの完成か否かを判断し、否であれば（Ｓ９）を繰り返し、完成であれば（Ｓ４）に戻って次の循環に入る。
【０１０７】
本実施例において、前記リレーレバーが固設され、リレーレバーはリレーレバーを回避するための１つの段差を有する。本実施例におけるリレーが前記２つの実施例と異なり、主な原因はリレーレバーが不動であり、及びリレーレバーの位置が定められており、本実施例（Ｓ５）リレーステップにおいて、フックの引張り力がシューズカバーの弾性口に作用し、同時に広げクローが真ん中に向いて運動することによって、シューズカバーの弾性口を広げクローから離脱させ、リレーレバーに滑り向かせる。理解すべきなのは、本実施例のリレーレバーが不動であり、即ちリレーを実現できるが、本実施例の１つの代用の技術的手段として、前記リレーレバーが伸出及び収縮できる。
【０１０８】
前記シューズカバーの長さ方向は長形開口の長さ方向と一致し、且つ、前記広げクローの弾性口を広げる運動が長形開口の長さ方向に沿う直線運動である。前記直線運動は正逆ねじスクリュー及びネジの回転方向が反対する１対のナットによって形成され、前記１対の広げクローがそれぞれ１対のナットに固設され、または前記１対の広げクローがそれぞれ１対のナットと一体に成形される。前記フックはＵ状開口を有し、前記口開けステップの開始時、フックのＵ状の２つの端部が前記広げクローの両側から通過し、フックのＵ状の１つの端部フックがシューズカバーの弾性口を引っかけ、理解すべきなのは、１つの代用の技術的手段として、Ｌ状フックも本発明を実施でき、即ち前記フックがＬ状であり、前記口開けステップの開始時、フックのＬ状の１つの端部が前記広げクローの内側から通過し、シューズカバーの弾性口を引っかける。本実施例において、前記フックは２セットを有し、フックの復帰間隔を節約するように、２セットのフックが循環に作動し、第１セットのフックが口開けステップを完成する時に、他１セットのフックが復帰して次の１つのシューズカバーの受け取りを準備する。
【０１０９】
本発明の実施例３の実施に対し、さらに本発明の実施例７のリレーモジュールを参考できる。
【０１１０】
図４を参考し、本発明の実施例４はシューズカバーの供給方法であって、シューズカバー収納モジュール、取出しモジュール、口開けモジュール、リレーモジュールを含み、且つ、（Ｓ１）広げ、（Ｓ２）裏返し、（Ｓ３）使用完成か否かを判断し、否であれば（Ｓ３）を繰り返し、（Ｓ４）口開け、（Ｓ５）リレー、（Ｓ６）使用待ち、（Ｓ７）使用完成、（Ｓ８）裏返しの完成か否かを判断し、否であれば（Ｓ８）を繰り返し、（Ｓ９）（Ｓ４）に戻すステップを含み、そのうち、収納モジュールは長形の開口を有し、シューズカバーの弾性口が前記長形の開口に向いて配置され、取出しモジュールは広げる及び裏返されることができる１対の広げクローを有し、口開けモジュールはシューズカバーを開けるためのフックを有し、リレーモジュールは広げクローからシューズカバーを受け取るためのリレーレバーを有し、前記リレーレバーが固設されており、且つ前記シューズカバーの口開け方向に沿って、リレーレバーの位置が前記広げクローの（Ｓ５）ステップ時における位置より前向きであり、前記フックが（Ｓ４）ステップを実行する時に前記リレーレバーの底部から通過し、且つ（Ｓ１）広げは取出しモジュールの広げクローが前記長形の開口内においてシューズカバーの弾性口を広げることを指し、（Ｓ２）裏返しは取出しモジュールの広げクローが裏返し運動によって、シューズカバーを収納モジュールから取出すことを指し、（Ｓ４）口開けは口開けモジュールのフックがシューズカバーの弾性口を引っかけ且つ前記広げクローに対して運動することによってシューズカバーの弾性口を開けることを指し、（Ｓ５）リレーは広げクローがシューズカバーをリレーモジュールのリレーレバーに引っかけ且つ逆方向に向いて裏返し、リレーレバーが前記広げクローの代わりに前記フックと一緒にシューズカバーの弾性口を口開け状態にし、前記広げクローが逆方向に裏返して前記長形開口に戻し、且つ次の（Ｓ１）広げステップを開始し、（Ｓ８）ステップは裏返しの完成か否かを判断し、否であれば（Ｓ８）を繰り返し、完成であれば（Ｓ４）に戻って次の循環に入る。
【０１１１】
本実施例において、（Ｓ５）リレーステップは（Ｓ４）口開けステップのフックがリレーレバーの底部から通過した後開始し、（Ｓ５）リレーステップは（Ｓ４）口開けステップの完成する前に開始し、（Ｓ４）及び（Ｓ５）のステップが共に完成した後、やっと（Ｓ６）ステップに入り、前記シューズカバーの長さ方向が長形開口の長さ方向と一致し、且つ、前記広げクローの弾性口を広げる運動が長形開口の長さ方向に沿う直線運動であり、前記直線運動は正逆ねじスクリュー及びネジの回転方向が反対する１対のナットによって形成され、前記１対の広げクローがそれぞれ１対のナットに固設され、または前記１対の広げクローがそれぞれ１対のナットと一体に成形され、前記フックはＵ状開口を有し、前記口開けステップの開始時、フックのＵ状の２つの端部が前記広げクローの両側から通過し、フックのＵ状の１つの端部フックがシューズカバーの弾性口を引っかけ、理解すべきなのは、本実施例の代用の技術的手段として、Ｌ状フックも本発明を実現でき、即ち前記フックがＬ状であり、前記口開けステップの開始時、フックのＬ状の１つの端部が前記広げクローの内側から通過し、シューズカバーの弾性口を引っかける。本実施例において、前記フックは２セットを有し、フックの復帰間隔を節約するように、２セットのフックが循環に作動し、第１セットのフックが口開けステップを完成する時に、他１セットのフックが復帰して次の１つのシューズカバーの受け取りを準備する。
【０１１２】
本発明の実施例４の実施に対し、さらに本発明の実施例８のリレーモジュールを参考できる。
【０１１３】
本発明の実施例５はシューズカバーの供給方法であって、シューズカバー収納モジュール、取出しモジュール、口開けモジュール、リレーモジュールを含み、取出しモジュールは、（ＳＡ１）広げ、即ち広げクローが収納モジュール内においてシューズカバーを広げ、（ＳＡ２）裏返し、即ち広げられたシューズカバーを口開け／リレー位置に裏返すステップを実行し、口開けステップは、（ＳＢ１）口開け、即ちフックによってシューズカバーを引っ張って広げ、（ＳＢ２）使用待ち及びシューズカバーを使用するステップを実行し、取出しモジュール及びリレーモジュールは共同に、（ＳＣ１）リレー、取出しモジュールの広げクローがシューズカバーの後端をリレーレバーに引っかけ、広げクローが元に向いて裏返すステップを実行し、そのうち、（ＳＢ１）（ＳＢ２）が循環作動する時に、（ＳＡ１）（ＳＡ２）も循環作動している。
【０１１４】
本実施例において、収納モジュールは長形開口を有し、シューズカバーの弾性口が前記長形開口に向いて配置され、取出しモジュールは広げる及び裏返されることができる１対の広げクローを有し、口開けモジュールはシューズカバーを開けるためのフックを有し、リレーモジュールは広げクローからシューズカバーを受け取るためのリレーレバーを有し、前記シューズカバーの長さ方向が長形開口の長さ方向と一致し、且つ、前記広げクローの弾性口を広げる運動が長形開口の長さ方向に沿う直線運動であり、前記直線運動は正逆ねじスクリュー及びネジの回転方向が反対する１対のナットによって形成され、前記１対の広げクローがそれぞれ１対のナットに固設され、または前記１対の広げクローがそれぞれ１対のナットと一体に成形され、前記フックはＵ状開口を有し、前記口開けステップの開始時、フックのＵ状の２つの端部が前記広げクローの両側から通過し、フックのＵ状の１つの端部フックがシューズカバーの弾性口を引っかけ、理解すべきなのは、本実施例の代用の技術的手段として、Ｌ状フックも本発明を実現でき、即ち前記フックがＬ状であり、前記口開けステップの開始時、フックのＬ状の１つの端部が前記広げクローの内側から通過し、シューズカバーの弾性口を引っかける。前記フックは２セットを有し、フックの復帰間隔を節約するように、２セットのフックが循環に作動し、第１セットのフックが口開けステップを完成する時に、他１セットのフックが復帰して次の１つのシューズカバーの受け取りを準備する。
【０１１５】
図５〜図２０を参考し、本発明の実施例６はシューズカバーの供給システムであって、シューズカバー収納モジュール１００、取出しモジュール２００、口開けモジュール３００、リレーモジュール４００を含み、本実施例において収納モジュールの本体が１つのボックス本体１０１であり、収納モジュールは長形開口１０２を有し、シューズカバー０００の弾性口００１が前記長形開口１０２に向いて配置され、取出しモジュール２００は広げる及び裏返されることができる１対の広げクロー２０１を有し、口開けモジュール３００はシューズカバーを開けるためのフック３０１を有し、リレーモジュール４００は広げクロー３０１からシューズカバーを受け取るためのリレーレバー４０１を有する。本実施例において、前記１対の広げクロー２０１の端部は広げ方向においてさらにフック２０１２を有してもよい。本実施例において、前記シューズカバー収納モジュール１００は取出しモジュール２００の上部に位置し、且つ長形開口１０２が下に向いて設置され、前記口開けモジュール３００は取出しモジュール２００の下部に位置し且つ口開けモジュール３００のシューズカバー０００を受け取る片端が取出しモジュール２００に接近して設置され、リレーモジュール４００は口開けモジュール３００のシューズカバー０００を受け取る片端に接近して設置される。
【０１１６】
本実施例の更なる好適な技術的解決手段として、前記取出しモジュール２００は正逆ねじスクリュー２０３及びネジの回転方向が反対する１対のナット２０２を含み、前記広げクロー２０１がナット２０２と固接されまたは一体に成形され、本実施例には金属部材溶接方法が採用され、前記取出しモジュール２００はさらに広げクローの回転を約束する案内部材を含む。前記案内部材は１つの位置決めホルダ２１２を含み、位置決めホルダ２１２は正逆ねじスクリュー２０３の長さ方向に沿って設置される位置決め溝２０６を有し、広げクロー２０１が位置決めホルダ２１２の位置決め溝２０６内に制限され、理解すべきなのは、案内部材は前記の形式に限らず、本実施例の１つの代用の技術的手段として、案内部材は１つの位置決め軸を含み、位置決め軸が正逆ねじスクリューの長さ方向に沿って設置され、広げクローが前記位置決め軸と対応する案内孔を有し、広げクローが案内孔を通じて位置決め軸に被装され、このような軸と孔との配置も本発明を実施できる。前記取出しモジュール２００はさらに前記案内部材を固定するための位置決め器２０５を含む。前記取出しモジュール２００はさらに前記案内部材と連接するロッカー・アーム２０７、及び減速機構を含み、案内部材が減速機構を通じて主ねじと連動・連接される。ロッカー・アーム２０７がクラッチ機構を通じて案内部材（位置決めホルダまたは位置決め軸）を連接する。本実施例において減速機構がギア機構であり、正逆ねじスクリュー２０３に固定される入力ギア２１１、入力ギアと噛合うダブル・ギヤ２１０、ダブル・ギヤ２１０と噛合う出力ギア（即ちロッカー・アーム）２０７を含み、本実施例において出力ギアがロッカー・アームと１つの輪２０９に集成され、理解すべきなのは、２つの輪且つ出力ギアと固接するロッカー・アームであってもよく、さらに理解すべきなのは、減速機構はギア減速に限定せず、１つの代用の技術的手段として、前記減速機構が同期減速の有する機構であってもよい。前記クラッチ機構は前記ロッカー・アーム２０７に設置されるアーチ形溝２０９及びアーチ形溝２０９内に設置されるピン２０８を含み、ピン２０８が位置決めホルダ２１２と固接される。クラッチ機構は前記方式に限定されず、従来の技術におけるその他のクラッチ機構を使用してもよい。前記取出しモジュール２００は１つのハウジングを含み、前記位置決め器２０５がハウジングに固接され、前記位置決め器２０５が位置決め状態及び離脱状態を有し、前記クラッチ機構がロッカー・アーム２０７と案内部材とを分離する時に、前記位置決め器２０７が位置決め状態になっており、前記クラッチ機構がロッカー・アームと案内部材とを接合する時に、前記位置決め器が離脱状態になっている。理解すべきなのは、前記ハウジングが１つの不動の部材であり、本発明のシューズカバー供給システムが自動シューズカバー機に応用される時に、該ハウジングが自動シューズカバー機の本体と固接されまたは一体に設置される。本実施例において、前記位置決め器２０５は位置決め器２０５または案内部材に設置され、且つ位置決め器２０５と案内部材との間に吸着力を形成する磁石を含み、位置決め器２０５は磁石方式に限定せず、従来の技術における機械または電気の位置決め方式を採用してもよい。
【０１１７】
本実施例の更なる好適な技術的解決手段として、前記口開けモジュール３００はシューズカバー０００を開けるための２セットの循環に使用されるフック３０１を含む。理解すべきなのは、フック３０１は２セット以上であってもよいが、２セットは最もスペースを節約する。前記口開けモジュール３００はさらに同期運転する２つのコンベヤー３０２を含み、２セットのフック３０１は共に２つのコンベヤー３０２の内側に固接され、第１セットのフック及び第２セットのフックがコンベヤーの周方向に均一に分布され、本実施例におけるコンベヤー３０２は１つのアクティブ軸及び１つの受動ホイールによって連動され、前記コンベヤーの周方向に均一に分布されることは、２セットのフックの間のコンベヤーの長さがコンベヤー３０２の総長さの半分であることを指し、理解すべきなのは、コンベヤーの代用手段として、チェーンホイール／チェーンによって本発明を実施してもよく、代用の技術的解決手段において、前記口開けモジュールはさらに同期に運転する２つのチェーンを含み、フックは２セットを有し且つ共に２つのチェーンの内側に固接され、第１セットのフック及び第２セットのフックがチェーンの周方向に均一に分布される。本実施例において、前記フック３０１はＵ状開口を有し、且つ前記広げクロー２０１がＵ状開口内から通過できるように、Ｕ状開口の幅が前記広げクロー２０１の幅より大きい。理解すべきなのは、Ｕ状フックの代わりにＬ状フックによっても本発明を実施でき、フックのＬ状の１つの端部が前記広げクローの内側から通過できる。本発明におけるＵ状及びＬ状は、共にフックのそれの運動方向と垂直する面における形状であり、該形状はフックの断面形状、投影形状またはフックの運動軌跡の形状であってもよい（Ｕ状の両端が異なる平面内に設置されてもよいため、このような変形のＵ状のそれの運動方向と垂直する面における投影、またはそれの運動軌跡のそれの運動方向と垂直する面における断面が依然Ｕ状であり、このような変形のＵ状が本発明においてＵ状フックとも呼ばれる）。本実施例において、前記フックはそれの運動方向の前端においてさらに１つのフック部３０４を有し、Ｕ状フックにとって、フック部がＵ状の広げクロー内側から通過する片端に設置され、Ｌ状フックにとって、フックがそれの前記広げクロー内側から通過する１つの端部に設置され、シューズカバーの使用される時の脱落を便利化するように、フックの先端部が円弧状に移行される。
【０１１８】
本実施例の更なる好適な技術的解決手段として、前記リレーモジュール４００のリレーレバー４０１が１対を有し、１対の広げクロー２０１の内側に位置し、且つフック３０１のシューズカバーを開ける方向に向いて１つの変位を偏倚し、リレーレバー４０１が伸出及び収縮、２種の状態を有する。伸出及び収縮を実現するように、前記リレーレバー４０１が１つの揺動構造を連接する。本実施例において、前記揺動構造は１つの壁板４０５及び壁板４０５に設置されるクランクロッカー機構を含み、クランク４０４が壁板４０５に軸支され、連結ロッド４０３の片端がクランク４０４に軸支され、連結ロッド４０３の他端がロッカー４０２の片端に軸支され、ロッカー４０２の他端が壁板４０５に軸支され、前記リレーレバー４０１がロッカー４０２と固接され、それによって、クランク４０４を回転することによってリレーレバー４０１を揺動するように連動させることができる。無論、従来の技術における伸縮機構によって前記揺動機構を代用して本発明を実施してもよい。
【０１１９】
本実施例の更なる好適な技術的解決手段として、前記口開けモジュール３００は１対の架台３０５を含み、架台３０５の底部には摺動レール３０３が設置される。スペース占用を節約するように、使用しない時に摺動レール３０３を通じて口開けモジュール３００を押して収納モジュール１００及び取出しモジュール２００の下方に復位させてもよい。
【０１２０】
本実施例の更なる好適な技術的解決手段として、前記シューズカバー０００が平坦化状態でシューズカバー収納モジュールに積層され、前記シューズカバーの長さ方向が前記長形開口１０２の方向と一致する。
【０１２１】
本実施例の各好適な実施手段は、単独に適用してもよく、１つの総体の好適な実施形態に集めてもよい。
【０１２２】
図２１〜２２を参考し、本発明の実施例７はシューズカバーの供給システムであって、シューズカバー収納モジュール、取出しモジュール、口開けモジュール、リレーモジュールを含み、収納モジュールは長形開口を有し、シューズカバーの弾性口が前記長形開口に向いて配置され、取出しモジュールは広げる及び裏返されることができる１対の広げクロー７０１を有し、口開けモジュールはシューズカバーを開けるためのフック７０２を有し、リレーモジュールは広げクローからシューズカバーを受け取るためのリレーレバー７０３を有する。前記シューズカバー収納モジュールは取出しモジュールの上部に位置し、且つ長形開口が下に向いて設置され、前記口開けモジュールは取出しモジュールの下部に位置し且つ口開けモジュールのシューズカバーを受け取る片端が取出しモジュールに接近して設置され、リレーモジュールは口開けモジュールのシューズカバーを受け取る片端に接近して設置される。本実施例において、前記取出しモジュールは正逆ねじスクリュー及びネジの回転方向が反対する１対のナットを含み、前記広げクローがナットと固接されまたは一体に成形され、前記取出しモジュールはさらに広げクローの回転を約束する案内部材を含む。前記案内部材は１つの位置決めホルダを含み、位置決めホルダは正逆ねじスクリューの長さ方向に沿って設置される位置決め溝を有し、広げクローが位置決めホルダの位置決め溝内に制限され、理解すべきなのは、本実施例の１つの代用の手段として、位置決め方法は軸位置決めであってもよく、前記案内部材は１つの位置決め軸を含み、位置決め軸が正逆ねじスクリューの長さ方向に沿って設置され、広げクローが前記位置決め軸と対応する案内孔を有し、広げクローが案内孔を通じて位置決め軸に被装される。本実施例における位置決めホルダが本発明の実施例６と同様であり、異なる処は、本実施例において、前記案内部材は１つの裏返しモータに接続され、前記案内部材の前記正逆ねじスクリューの軸心を回って裏返すことを駆動することによって前記広げクローを裏返すように連動させることに用いられ、前記リレーレバー７０３が固定不動である。前記広げクロー７０１は広げクローがリレーレバーに対してシューズカバーを伝達する位置になっている時に、前記広げクロー７０１が前記リレーレバー７０３と前記シューズカバーの口開け方向に沿って並行して揃える。前記リレーレバーは前記広げクローを回避するための１つの段差７０４を有する。本実施例において、前記口開けモジュールはシューズカバーを開けるための２セットの循環に使用されているフック７０２を含み、理解すべきなのは、２セット以上も本発明を実施でき、並行に引っ張り出す場合に２セット以上を使用する必要が無いが、傾斜にシューズカバーを引っ張り出す必要な時（例えばシューズカバー自動販売機）に、３セットのフックを使用してもよく、その時、コンベヤーまたはチェーンは３つの輪を通じて三角状のように広げられ、本発明のその他の実施例において、２セット以上の実施方法は前記の同様である。本実施例において、前記口開けモジュールはさらに同期運転する２つのコンベヤーを含み、フック７０２は２セットを有し且つ共に２つのコンベヤーの内側に固接され、第１セットのフック及び第２セットのフックがコンベヤーの周方向に均一に分布され、または前記口開けモジュールはさらに同期に運転する２つのチェーンを含み、フックは２セットを有し且つ共に２つのチェーンの内側に固接され、第１セットのフック及び第２セットのフックがチェーンの周方向に均一に分布される。前記フック７０２はＵ状開口を有し、且つ前記広げクローがＵ状開口内から通過できるように、Ｕ状開口の幅が前記広げクローの幅より大きく、理解すべきなのは、本実施例の代用手段として、Ｌ状のフックも本発明を実現でき、即ち前記フックがＬ状であり、フックのＬ状の１つの端部が前記広げクローの内側から通過できる。本実施例における制限とするモジュールは、本発明の実施例６を参考してもよい。
【０１２３】
図２３〜２４を参考し、本発明の実施例８はシューズカバーの供給システムであって、シューズカバー収納モジュール、取出しモジュール、口開けモジュール、リレーモジュールを含み、収納モジュールは長形開口を有し、シューズカバーの弾性口が前記長形開口に向いて配置され、取出しモジュールは広げる及び裏返されることができる１対の広げクロー８０１を有し、口開けモジュールはシューズカバーを開けるためのフック８０２を有し、リレーモジュールは広げクローからシューズカバーを受け取るためのリレーレバー８０３を有する。前記シューズカバー収納モジュールは取出しモジュールの上部に位置し、且つ長形開口が下に向いて設置され、前記口開けモジュールは取出しモジュールの下部に位置し且つ口開けモジュールのシューズカバーを受け取る片端が取出しモジュールに接近して設置され、リレーモジュールは口開けモジュールのシューズカバーを受け取る片端に接近して設置される。本実施例において、前記取出しモジュールは正逆ねじスクリュー及びネジの回転方向が反対する１対のナットを含み、前記広げクローがナットと固接されまたは一体に成形され、前記取出しモジュールはさらに広げクローの回転を約束する案内部材を含む。前記案内部材は１つの位置決めホルダを含み、位置決めホルダは正逆ねじスクリューの長さ方向に沿って設置される位置決め溝を有し、広げクローが位置決めホルダの位置決め溝内に制限され、理解すべきなのは、本実施例の１つの代用手段として、位置決め方法は軸位置決めであってもよく、前記案内部材は１つの位置決め軸を含み、位置決め軸が正逆ねじスクリューの長さ方向に沿って設置され、広げクローが前記位置決め軸と対応する案内孔を有し、広げクローが案内孔を通じて位置決め軸に被装される。本実施例における位置決めホルダが本発明の実施例６と同様であり、異なる処は、本実施例において、前記案内部材は１つの裏返しモータに接続され、前記案内部材の前記正逆ねじスクリューの軸心を回って裏返すことを駆動することによって前記広げクローを裏返すように連動させることに用いられる。本実施例において、前記リレーレバー８０３が固定不動であり、リレーレバー８０３の底端の高さが前記広げクロー８０１のリレー位置における高さより低いが、前記フック８０２の弾性口を開ける時の高さより高い。前記フック８０２がシューズカバーの開ける状態になり始めている時に、前記シューズカバーの口開け方向に沿って、前記リレーレバー８０３の位置が前記広げクロー８０１の位置と比べより前向きであり、前記のように、リレーレバー８０３の底端が前記広げクロー８０１の底端より低く、前記フック８０２が前記リレーレバーのシューズカバーの口開け方向に沿う前方になっている時に、前記広げクロー８０１がやっと輪になる状態を開始し、リレーレバー８０３に対してシューズカバーを伝達する。シューズカバーの口開け方向に沿って、前記フック８０２が前記リレーレバー８０３と並行して揃える位置になっている時に、前記フック８０２が前記リレーレバー８０３の下方に位置する。前記口開けモジュールはシューズカバーを開けるための２セット（または２セット以上）の循環に使用されているフック８０２を含む。前記口開けモジュールはさらに同期運転する２つのコンベヤーを含み、フックは２セットを有し且つ共に２つのコンベヤーの内側に固接され、第１セットのフック及び第２セットのフックがコンベヤーの周方向に均一に分布され、または前記口開けモジュールはさらに同期に運転する２つのチェーンを含み、フックは２セットを有し且つ共に２つのチェーンの内側に固接され、第１セットのフック及び第２セットのフックがチェーンの周方向に均一に分布される。さらに後端コンベヤーホイールまたは後端チェーンホイールを含み、前記フックが後端コンベヤーホイールまたは後端チェーンホイールの後水平象限点からシューズカバーを開け、前記フック８０３が前記リレーレバー８０３と並行して揃える位置になっている時に、前記フック８０２が前記リレーレバー８０３の下方に位置することを確保するように、前記リレーレバー８０３の水平投影が後端コンベヤーホイールまたは後端チェーンホイールの区域内に位置する。前記フック８０２はＵ状開口を有し、且つ前記広げクロー８０１がＵ状開口内から通過できるように、Ｕ状開口の幅が前記広げクロー８０１の幅より大きく、理解すべきなのは、本実施例の代用手段として、Ｌ状のフックも本発明を実現でき、即ち前記フック８０２がＬ状であり、フック８０２のＬ状の１つの端部が前記広げクローの内側から通過できる。本発明における制限とするモジュールは、本発明の実施例６を参考してもよい。
【０１２４】
本発明の実施例９もシューズカバーの供給システムであって、取出しモジュールを含み、取出しモジュールは広げる及び裏返されることができる１対の広げクローを有し、本発明の実施例６の図１９〜２０を参考し、いずれの広げクローの前端もフック部２０１２を有し、１対の広げクローの２つのフック部が裏向きに設置され、いずれの広げクローの前端の背面にはリレー面取り２０１１を有し、当然、リレー面取りの代わりにリレー円弧を使用してもよく、前記背面が広げクローの裏返し方向と反対する面を指す。本実施例において制限されていなかったモジュールまたは部分は、本発明の実施例６を参考して実施してもよい。
【０１２５】
本発明の実施例１０もシューズカバーの供給システムであって、シューズカバー収納モジュール、取出しモジュール、口開けモジュールを含み、収納モジュールは長形開口を有し、シューズカバーの弾性口が前記長形開口に向いて配置され、取出しモジュールは広げる及び裏返されることができる１対の広げクローを有し、口開けモジュールはシューズカバーを開けるためのフックを有し、前記シューズカバーが平坦化状態でシューズカバー収納モジュールに積層され、前記シューズカバーの長さ方向が前記長形開口の方向と一致し、前記広げクローの広げ方向も長形開口の方向と一致する。本実施例において、前記シューズカバー収納モジュールは取出しモジュールの上部に位置し、且つ長形開口が下に向いて設置され、前記口開けモジュールは取出しモジュールの下部に位置し且つ口開けモジュールのシューズカバーを受け取る片端が取出しモジュールに接近して設置される。前記取出しモジュールは正逆ねじスクリュー及びネジの回転方向が反対する１対のナットを含み、前記広げクローが前記ナットと固接されまたはナットと一体に成形され、前記取出しモジュールはさらに広げクローの回転を約束する案内部材、ロッカー・アーム、案内部材を固定するための位置決め器を含み、広げクローが案内部材に沿って摺動するように制限される。前記取出しモジュールはさらに減速機構を含み、位置決めホルダが減速機構を通じて主ねじと連動・連接され、ロッカー・アームがクラッチ機構を通じて位置決めホルダと連接され、前記クラッチ機構は前記ロッカー・アームに設置されるアーチ形溝及びアーチ形溝内に設置されるピンを含み、ピンが位置決めホルダと固接される。本実施例における制限されていなかったその他のモジュールまたは部分は、本発明の実施例６を参考しても実施してもよく、説明すべきなのは、本実施例は実施例６におけるリレーモジュールのようなものを設置しなくても実施でき、具体的に言うと、フックが口開けされた後、広げクローが口開けのポジェションにおいて不動で使用待ちとし、使用完成された後こそ改めて戻して、且つ弾性口の長さ方向に沿う直線広げを実現することによってシューズカバーの事前配置に対する精度を下げる効果を実現し、且つ２／複数フックの循環使用することによってフックの復帰待ち時間を無くす効果を実現できる。
【０１２６】
本発明の実施例１１は自動シューズカバー機であって、該自動シューズカバー機はシューズカバーの自動化快速な取出し且つ口開けを実現でき、シューズカバーの大容量収納、設備の占用面積の減少を実現できる。自動シューズカバー機は主に収納システム、取出し装置、口開け装置、リレー装置によって構成される。
【０１２７】
収納システムは主にシューズカバー及びボックス本体を含み、シューズカバーが折り畳まれた後弾性開口が円状になって下に向いてボックス本体内に積層される。ボックス本体の底部には細長い溝が開設され、その方向がシューズカバーの折り畳まれた後の長さ方向と一致する。ボックス本体が装置の上部に設置される。
【０１２８】
取出し装置は双方向主ねじ、１対のナット、１対の分離クロー、位置決めホルダ、ロッカー・アーム、デファレンシャルシステム、ピン、位置決め器によって構成される。初期状態の時、分離クローの頭部がボックス本体の底部の細長い溝内に挿入され、同時に、シューズカバーの開口を経由してシューズカバー内にも挿入される。分離クローがナットと連接され、双方向主ねじの回転によって左右反方向の変位が発生され、それによってシューズカバーの弾性口を広げる。分離クローの回転を制御するため、分離クローが位置決めホルダの位置決め溝内に制限される。分離クローに適当な変位が発生された後、位置決めホルダが同時に回転し始め、それによって分離クローの裏返しを連動させ、分離クローに引っかけられたシューズカバーが受動にボックス本体内から細長い溝を経由して分離され、且つ次のステージに搬送される。位置決めホルダの分離クローの回転に対する制御は複数の方法を有する。例えば位置決めホルダは円柱状に設計され、円柱表面に螺旋溝を開設しても分離クローの回転を実現できる。本実施例には位置決めホルダが主ねじと同軸に回転できるように設計され、位置決め溝が直線型の細長い溝のように設計され、その長さ方向がボックス本体の底部の細長い溝の方向と同じである。位置決めホルダの回転は本実施例において主ねじと連動するように設計される。それは主ねじに固定される小ギアによってデファレンシャルギアを動かせさらにロッカー・アームを回転するように連動させ、ロッカー・アームが位置決めホルダに作用した後位置決めホルダの定方向・定量回転を実現する。当然、単独な動力システムによって位置決めホルダに作用しても前記動作を実現できるが、連動の方法はより確実である。ロッカー・アームを設置する目的は位置決めホルダと主ねじとの分期運動を実現することにあり、その原因は分離クローの回転は必ずや一定の変位を発生してシューズカバーを確実に引っかけさせた後こそ動作できることである。本実施例において、ロッカー・アーム及び位置決めホルダにはそれぞれアーチ形溝及びピン（２つが代わりに設けられてもよい）が設けられ、ピンがアーチ形溝内に運動する時に、位置決めホルダには動力入力がないため静止になっており、ピンがアーチ形溝の末端に運動した後、位置決めホルダがロッカー・アームの動力を受けることによって伴に回転される。位置決めホルダがロッカー・アームとの間に空きスロットになっているためその他の外力（例えばナットと主ねじとの摩擦力）によって回転されることを防止するため、本実施例は本体において位置決め器を設置し、位置決め器には磁石または鉄が取り付けられ、一方、位置決めホルダの対応部に磁石または鉄が取り付けられ、磁力の作用によって位置決めホルダの位置決めを実現する。取出し装置がシューズカバーを収納ボックスから取出して且つ口開け装置の作動の初期点まで裏返し、この時シューズカバーの弾性開口が上に向いており、開口が引っ張られた後サイズがシューズカバーの口開けされた後の長さ方向におけるサイズより大きい。該分離装置の設計の利点は、ねじナット機構を利用することによって分離クローに十分な変位を発生させることができ、シューズカバーの弾性口の特徴に合わせて、シューズカバーと分離クローとの引っかけを確実化させ、設備のミスを有効に防止した。ねじナット機構を利用することは分離クローの裏返しを比較的簡単に実施でき、機構を簡易化させ、溝、ピン機構によって主ねじとロッカー・アームとの分期動作を実現し、制御部材を減少し、設備の故障率を降下でき、磁力作用によって位置決めを実施することは、制御精度を低減でき、それによって、コストを低減し、故障を下げた。
【０１２９】
口開け装置は主に、２セットのホイール（駆動受動を含み、いずれのセットには少なくとも２つを有する）、２つのベルト、ベルトに固定されるフック、動力を伝達して２セットのホイールベルト装置を同時に作動させる伝動軸、ホイールベルト装置を固定する架台及び架台に固定されるガイドレールを含む。本実施例にはチェーンホイール・チェーン装置（その他の同期ホイールベルトも該目的を実現できる）が採用され、伝動軸がモータ動力を伝達することによって２つの駆動チェーンホイールを同時に回転させ、それによってチェーンに固定されるフックに円周−直線−円周の循環作動軌跡を発生するように連動させる。フックが円周軌跡になって作動する時に、シューズカバー開口に挿入し、シューズカバー開口の１つの辺を後から引っ張って直線運動してシューズカバーを引っ張り広げる。口開け装置の効率を向上するため、いずれのチェーンには少なくとも２つのフックが設置され、フックの設置スポットがチェーンのペリメーターを等分し、このように、１つのフックが作動終点になっている時に、他１つのフックが同時に予備ポジションになっている。フックの運動軌跡面積を減少する（設備の高さを下げる）ため、フックがチェーンの内側に固定される。分離クローとの係合を便利化するため、フックがＵ状に設計される。Ｕ状開口の幅が分離クローの厚さより大きく、Ｕ状の底部がチェーンの中心に接近する。設備が待機状態になっている時に、口開け装置が設備の内部に縮退でき、それによって敷地面積を有効に減少するため、伝動軸がフックの作動終了スポットの片側に設置され、口開け装置を取り付ける架台にはガイドレールセットが設けられる。
【０１３０】
リレー装置は、１対のリレーレバー、１対の連結ロッド、１対のクランクを含む。その特徴としてはリレーレバーが１つの可動部材である。本実施例はクラック連結ロッド機構を使用し、リレーレバーを揺動させ（伸出または収縮）、それによって上下変位を発生させ、当然、カム、スライドブロック等のその他の機構を使用しても該目的を実現できる。クラック機構を使用することは、機械の摩損が小さく、寿命を大幅に向上できる。リレーレバーを設置する目的は、リレーレバーに伸出装置の作動開始後に分離クローの引き継ぎにシューズカバーの開口の他１つの辺を引っ張って作動させることにあり、このように、分離クローはシューズカバーの開けられる時に同時に他１つのシューズカバーの取出し任務を展開でき、それによって、作動の速度を大幅に向上した。リレーレバーの可動設計はシューズカバーのフックにより引っ張って広げる過程の運動軌跡を避けまたは分離クローの復帰運動軌跡を避けることにある。リレーレバーの位置が分離クローに対してフックの運動方向の前方に設計される。フックがリレーレバーの位置の前に運動する時に、リレーレバーが収縮され（シューズカバー口の運動軌跡を避ける）、フックがシューズカバー口を連動してリレーレバーの位置から通過した後、リレーレバーが伸出して且つ口開けされたシューズカバー内に挿入し、このように、分離クローが復帰して次の取出し動作を開始できる。シューズカバーが分離クローから離脱する方法は、取出し装置におけるロッカー・アームと位置決めホルダとの間の溝、ピン設計のため、分離クローの復帰する時の軌跡もまず直線その後は螺旋である。シューズカバーと分離クローとの分離をしやすいため、分離クローの作動ヘッド部がシューズカバーの口開け方向の片側において突出を有するように設計され、その目的は取出し動作の確実化させることにあり、同一側において、突出の下方には凹みが設計され、その目的はシューズカバー口がＹ方向において１つの固定された位置を有し、フックの便利な係合に有利であり、フックの運動方向の背面頭部には面取りが設けられ、その役割は、分離クローがシューズカバー方向に沿って撤回して運動する時に、突出が役割を失い、シューズカバー口がフックによって引っ張って広げられた後引張り力を受けて面取りに作用し、それによって、シューズカバー口を分離クローから滑り出させる。
【図１】
0005855276.tif 000002
【図２】
0005855276.tif 000003
【図３】
0005855276.tif 000004
【図４】
0005855276.tif 000005
【図５】
0005855276.tif 000006
【図６】
0005855276.tif 000007
【図７】
0005855276.tif 000008
【図８】
0005855276.tif 000009
【図９】
0005855276.tif 000010
【図１０】
0005855276.tif 000011
【図１１】
0005855276.tif 000012
【図１２】
0005855276.tif 000013
【図１３】
0005855276.tif 000014
【図１４】
0005855276.tif 000015
【図１５】
0005855276.tif 000016
【図１６】
0005855276.tif 000017
【図１７】
0005855276.tif 000018
【図１８】
0005855276.tif 000019
【図１９】
0005855276.tif 000020
【図２０】
0005855276.tif 000021
【図２１】
0005855276.tif 000022
【図２２】
0005855276.tif 000023
【図２３】
0005855276.tif 000024
【図２４】
0005855276.tif 000025